(57)【要約】      （修正有）【課題】消費者製品に含まれる色相剤等の有益剤によって保管中の製品に損害を与えず、更に、有益剤の所望の放出プロファイルを達成する封入有益剤の提供。【解決手段】６〜５０％、好ましくは８〜３５％、より好ましくは１２〜２５％の直径の変動係数及び３〜３００μｍ好ましくは５〜２４０μｍ、より好ましくは１０〜１２０μｍの平均直径を有する有益剤のコアと、２〜３０％の厚みの変動係数及び０．３〜１５μｍ、好ましくは１〜８μｍ、より好ましくは１．５〜６μｍの厚みを有し、シェルの厚みの変動係数が２〜３０％、好まくは４〜２５％、より好ましくは６〜２０％を有するフィルム形成ポリマーであるアクリレート誘導体からなるシェルにより形成される封入有益剤の集合体。【選択図】なし【特許請求の範囲】
【請求項１】
６％〜５０％、好ましくは８％〜３５％、より好ましくは１２％〜２５％の集合体直径の変動係数を有する封入有益剤の集合体であって、前記封入有益剤の集合体が、３マイクロメートル〜３００マイクロメートル、好ましくは５マイクロメートル〜２４０マイクロメートル、より好ましくは１０マイクロメートル〜１２０マイクロメートルの平均直径を有する封入有益剤を含み、前記封入有益剤が、コア及び前記コアを封入するシェルを含み、前記シェルが、アクリレート誘導体、好ましくはアクリレート誘導体であるフィルム形成ポリマーを含み、前記シェルが、０．３マイクロメートル〜１５マイクロメートル、好ましくは１マイクロメートル〜８マイクロメートル、より好ましくは１．５マイクロメートル〜６マイクロメートルの厚みを有し、シェルの厚みの変動係数が、２％〜３０％、好ましくは４％〜２５％、より好ましくは６％〜２０％である、封入有益剤の集合体。
【請求項２】
前記アクリレート誘導体が、一官能性アクリレートモノマー、二官能性アクリレートモノマー、三官能性アクリレートモノマー、四官能性アクリレートモノマー、五官能性アクリレートモノマー、又はこれらの混合物の反応に由来し；好ましくは、前記官能性モノマーが、ｔ−ブチルシクロヘキサノールアクリレート、２−（２−エトキシ）エチルアクリレート、Ｃ１６〜Ｃ１８アルキルアクリレート、ジエチレングリコールモノブチルエーテルアクリレート、テトラヒドロフルフリルアクリレート、Ｃ１２アルキルアクリレート（ラウリルアクリレート）、Ｃ１２アルキルメタクリレート（ラウリルメタクリレート）、Ｃ１２〜Ｃ１４アルキルメタクリレート、Ｃ１６〜Ｃ１８アルキルメタクリレート、２−フェノキシエチルアクリレート、２−フェノキシエチルメタクリレート、イソデシルアクリレート、４−フェノキシエチルアクリレート、３，３，５−トリメチルシクロヘキサノールアクリレート、３，３，５−トリメチルシクロヘキサノールメタクリレート、イソオクチルアクリレート、オクチルデシルアクリレート、トリデシルアクリレート、カプロラクトンアクリレート、エトキシ化ノニルフェノールアクリレート、イソボルニルアクリレート、イソボルニルメタクリレート、環式トリメチロールプロパンホルマールアクリレート、Ｃ１８アルキルアクリレート（ステアリルアクリレート）、１，６−ヘキサンジオールジアクリレート、ポリエチレングリコール２００ジアクリレート、ポリエチレングリコール４００ジアクリレート、ポリエチレングリコール６００ジアクリレート、ポリエチレングリコール２００ジメタクリレート、ポリエチレングリコール４００ジメタクリレート、ポリエチレングリコール６００ジメタクリレート、テトラエチレングリコールジアクリレート、トリエチレングリコールジアクリレート、トリプロピレングリコールジアクリレート、３−メチル１，５−ペンタンジオールジアクリレート、エトキシ化ビスフェノールＡジアクリレート、エトキシ化ビスフェノールＡジメタクリレート、プロポキシ化ジアクリレート、ジプロピレングリコールジアクリレート、ジプロピレングリコールモノメタクリレート、ジオキサングリコールジアクリレート、１，１０−デカンジオールジアクリレート、エステルジオールジアクリレート、アルコキシ化ジアクリレート、トリシクロデカンジメタノールジアクリレート、プロポキシ化ネオペンチルグリコールジアクリレート、ペンタエリスリトールテトラアクリレート、トリメチロールプロパントリアクリレート、ジトリメチロールプロパンテトラアクリレート、トリス（２−ヒドロキシエチル）イソシアヌレートトリアクリレート、ジペンタエリスリトールペンタアクリレート、ペンタエリスリトールトリアクリレート、エトキシ化トリメチロールプロパントリアクリレート、プロポキシ化トリメチロールプロパントリアクリレート、エトキシ化ペンタエリスリトールテトラアクリレート、プロポキシ化グリセロールトリアクリレート、テトラヒドロフルフリルメタクリレート、エチレングリコールジメタクリレート、トリエチレングリコールジメタクリレート、テトラエチレングリコールジメタクリレート、１，４−ブタンジオールジメタクリレート、ジエチレングリコールジメタクリレート、１，６−ヘキサンジオールジメタクリレート、１，１２−ドデカンジオールジメタクリレート、１，３−ブチレングリコールジメタクリレート、トリシクロデカンジメタノールジメタクリレート、トリメチロールプロパントリメタクリレート及びこれらの混合物からなる群から選択され；より好ましくは、前記官能性モノマーが、イソボルニルアクリレート、ラウリルアクリレート、１，６−ヘキサンジオールジアクリレート、ジペンタエリスリトールペンタアクリレート、ペンタエリスリトールトリアクリレート、ジエチレングリコールジメタクリレート、及びこれらの混合物からなる群および光開始剤から選択され；好ましくは、前記光開始剤が、アセトフェノン、アニソイン（anisoin）、アントラキノン、アントラキノン−２−スルホン酸ナトリウム塩一水和物、（ベンゼン）トリカルボニルクロム、ベンジル、ベンゾインメチルエーテル、２−ベンジル−２−（ジメチルアミノ）−４’−モルホリノブチロフェノン、４，４’−ビス（ジエチルアミノ）ベンゾフェノン、２−クロロチオキサンテン−９−オン、（クメン）シクロペンタジエニル鉄（ＩＩ）ヘキサフルオロホスフェート、ジベンゾスベレノン、２，２−ジエトキシアセトフェノン、２，２−ジメトキシ−２−フェニルアセトフェノン、４−（ジメチルアミノ）ベンゾフェノン、４，４’−ジメチルベンジル、２，５−ジメチルベンゾフェノン、３，４−ジメチルベンゾフェノン、４’−エトキシアセトフェノン、フェロセン、３’−ヒドロキシアセトフェノン、４’−ヒドロキシアセトフェノン、３−ヒドロキシベンゾフェノン、１−ヒドロキシシクロヘキシルフェニルケトン、２−ヒドロキシ−２−メチルプロピオフェノン、２−メチルベンゾフェノン、２−メチル−４’−（メチルチオ）−２−モルホリノプロピオフェノン、４’−フェノキシアセトフェノン、プロピレンカーボネート中に５０％混合されたトリアリールスルホニウムヘキサフルオロリン酸塩類、及びこれらの混合物からなる群から選択される、請求項１に記載の封入有益剤の集合体。
【請求項３】
前記アクリレート誘導体であるフィルム形成ポリマーが、以下のポリマー１であり、前記ポリマー１が、５，０００Ｄａ〜５００，０００Ｄａ、好ましくは１０，０００Ｄａ〜３００，０００Ｄａ、より好ましくは２０，０００Ｄａ〜２４０，０００Ｄａの重量平均分子量を有する、請求項１に記載の封入有益剤の集合体。
【化１】
2018039002.tif 000031
（式中、
各ｎは、独立して、０〜４，０００の整数であり、
ポリマー１における全ての整数ｎの合計は、６０〜７，０００の整数であり、
ポリマー１中の各Ｒ１及び各Ｒ’は、独立して、以下からなる群から選択され、
【化２】
2018039002.tif 000032
式中、各ｃは、独立して、０〜６０の整数であり、各Ｒ２は、独立して、以下からなる群から選択され、
【化３】
2018039002.tif 000033
式中、各ｘは、独立して、０〜６０の整数である。）
【請求項４】
ａ）各Ｒ’が、独立して、以下からなる群から選択され、
【化４】
2018039002.tif 000034
ｂ）各Ｒ１が、独立して、以下からなる群から選択される
【化５】
2018039002.tif 000035
（式中、ｘは、０〜４０の整数である）、
請求項３に記載の封入有益剤の集合体。
【請求項５】
前記シェルの材料が、ポリ（メチルメタクリレート）、ポリ（アルキルメタクリレート）、ポリ（メチルメタクリレート−コ−ブチルメタクリレート、ポリ（ｔ−ブチルアクリレート−コ−エチルアクリレート−コ−メタクリル酸）、Ｃ１２〜Ｃ２２アルキルメタクリレートコポリマー、ポリ（メタクリル酸−コ−エチルアクリレート）、アミノアクリレート、アクリレートオクチルアクリルアミドブチルアミノエチルメタクリレートコポリマー及びこれらの混合物からなる群から選択される、請求項３に記載の封入有益剤の集合体。
【請求項６】
前記コアが、香料、色相剤、増白剤、シリコーン、酵素、及びこれらの混合物からなる群から選択される材料を含む、請求項１〜５のいずれか一項に記載の封入有益剤の集合体。
【請求項７】
ａ）前記香料が、プロパ−２−エニル３−シクロヘキシルプロパノエート、（４ａＲ，５Ｒ，７ａＳ，９Ｒ）−オクタヒドロ−２，２，５，８，８，９ａ−ヘキサメチル−４ｈ−４ａ，９−メタノアズレノ（５，６−ｄ）−１，３−ジオキソール、（３ａＲ，５ａＳ，９ａＳ，９ｂＲ）−３ａ，６，６，９ａ−テトラメチル−２，４，５，５ａ，７，８，９，９ｂ−オクタヒドロ−１Ｈ−ベンゾ［ｅ］［１］ベンゾフラン、４−メトキシベンズアルデヒド、ベンジル２−ヒドロキシベンゾエート、２−メトキシナフタレン、３−（４−ｔ−ブチルフェニル）プロパナール、３ａ，６，６，９ａ−テトラメチル−２，４，５，５ａ，７，８，９，９ｂ−オクタヒドロ−１Ｈ−ベンゾ［ｅ］［１］ベンゾフラン、３，７−ジメチルオクタ−６−エン−１−オール、３，７−ジメチルオクタ−６−エンニトリル、３−（４−ｔ−ブチルフェニル）ブタナール、３−（４−プロパン−２−イルフェニル）ブタナール、（Ｅ）−１−（２，６，６−トリメチル−１−シクロヘキサ−１，３−ジエニル）ブタ−２−エン−１−オン、デカナール、（Ｅ）−１−（２，６，６−トリメチル−１−シクロヘキサ−３−エニル）ブタ−２−エン−１−オン、（５Ｅ）−３−メチルシクロペンタデカ−５−エン−１−オン、２，６−ジメチルオクタ−７−エン−２−オール、エチル２−メチルペンタノエート、エチル２−メチルブタノエート、１，３，３−トリメチル−２−オキサビシクロ［２，２，２］オクタン、２−メトキシ−４−プロパ−２−エニルフェノール、３ａ，４，５，６，７，７ａ−ヘキサヒドロ−４，７−メタノ−１Ｈ−インデニルアセテート、３−（３−プロパン−２−イルフェニル）ブタナール、ａ，４，５，６，７，７ａ−ヘキサヒドロ−１Ｈ−４，７−メタノインデン−１−イルプロパノエート、（２Ｅ）−３，７−ジメチルオクタ−２，６−ジエン−１−オール、（１２Ｅ）−１−オキサシクロヘキサデカ−１２−エン−２−オン、［２−［１−（３，３−ジメチルシクロヘキシル）エトキシ］−２−メチルプロピル］プロパノエート、ヘキシルアセテート、２−（フェニルメチリデン）オクタナール、ヘキシル２−ヒドロキシベンゾエート、（Ｅ）−４−（２，６，６−トリメチル−１−シクロヘキサ−２−エニル）ブタ−３−エン−２−オン、（Ｅ）−４−（２，６，６−トリメチル−１−シクロヘキセニル）ブタ−３−エン−２−オン、（Ｅ）−３−メチル−４−（２，６，６−トリメチル−１−シクロヘキサ−２−エニル）ブタ−３−エン−２−オン、１−（２，３，８，８−テトラメチル−１，３，４，５，６，７−ヘキサヒドロナフタレン−２−イル）エタノン、プロパン−２−イル２−メチルブタノエート、（１Ｒ，２Ｓ，５Ｒ）−５−メチル−２−プロパン−２−イルシクロヘキサン−１−オール、（Ｅ）−２−エチル−４−（２，２，３−トリメチル−１−シクロペンタ−３−エニル）ブタ−２−エン−１−オール、２，４−ジメチルシクロヘキサ−３−エン−１−カルバルデヒド、３，７−ジメチルオクタ−１，６−ジエン−３−オール、３，７−ジメチルオクタ−１，６−ジエン−３−イルアセテート、１−（（３Ｒ，３ａＳ，７Ｒ，８ａＳ）−２，３，４，７，８，８ａ−ヘキサヒドロ−３，６，８，８−テトラメチル−１Ｈ−３ａ，７−メタノアズレン−５−イル）−エタノン、メチル３−オキソ−２−ペンチルシクロペンタンアセテート、２−メチルウンデカナール、２−［２−（４−メチル−１−シクロヘキサ−３−エニル）プロピル］シクロペンタン−１−オン、１−（５，５−ジメチル−１−シクロヘキセニル）ペンタ−４−エン−１−オン、２−シクロヘキシリデン−２−フェニル−アセトニトリル、２−フェニルエタノール、３，７−ジメチルオクタン−３−オール、５−ヘプチルオキソラン−２−オン、（２−ｔ−ブチルシクロヘキシル）アセテート、及びこれらの混合物からなる群から選択される材料を含み、
ｂ）前記色相剤が、低分子染料、高分子染料、染料粘土結合体、顔料、又はこれらの混合物からなる群から選択される材料を含み、
ｃ）前記増白剤が、４，４’−ビス−（２−スルホスチリル）ビフェニル二ナトリウム；２，２’−（１，２−エテンジイル）ビス［５−［４−［（２−ヒドロキシエチル）メチルアミノ］−６−（フェニルアミノ）−１，３，５−トリアジン−２−イル］アミノ］−ベンゼンスルホン酸二ナトリウム塩；４，４’−ビス｛［４−アニリノ−６−［ビス（２−ヒドロキシエチル）アミノ−ｓ−トリアジン−２イル］−アミノ｝−２，２’−スチルベンジスルホン酸二ナトリウム；４，４’−ビス［（４−アニリノ−６−（Ｎ−２−ヒドロキシエチル−Ｎ−メチルアミノ）−ｓ−トリアジン−２−イル）アミノ］２，２’−スチルベンジスルホン酸二ナトリウム；４，４’−ビス｛［４−アニリノ−６−メチルアミノ−ｓ−トリアジン−２−イル］−アミノ｝−２，２’−スチルベンジスルホン酸二ナトリウム；４，４”−ビス［４，６−ジ−アニリノ−ｓ−トリアジン−２−イル］−２，２’−スチルベンジスルホン酸二ナトリウム；４，４’−ビス｛［４−アニリノ−６−モルホリノ−ｓ−トリアジン−２−イル｝−アミノ｝−２，２’−スチルベンジスルホン酸二ナトリウム；及びこれらの混合物からなる群から選択される材料を含み、
ｄ）前記シリコーンが、非官能化シロキサンポリマー、官能化シロキサンポリマー、シリコーン樹脂、シリコーン溶媒、環状シリコーン、及びこれらの混合物からなる群から選択される材料を含み、
ｅ）前記酵素が、ペルオキシダーゼ、プロテアーゼ、リパーゼ、ホスホリパーゼ、セロビオヒドロラーゼ、セルビオースデヒドロゲナーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びこれらの混合物からなる群から選択される材料を含む、請求項６に記載の封入有益剤の集合体。
【請求項８】
ａ）前記低分子染料が、ダイレクト・ブルー、ダイレクト・レッド、ダイレクト・バイオレット、アシッド・ブルー、アシッド・レッド、アシッド・バイオレット、ベーシック・ブルー、ベーシック・バイオレット及びベーシック・レッドのカラーインデックス分類に該当する染料からなる群から選択される材料、又はこれらの混合物を含み、
ｂ）前記高分子染料が、結合した色原体を含有するポリマー（染料−ポリマー結合体）及びポリマー骨格に色原体が共重合しているポリマー、並びにこれらの混合物からなる群から選択される高分子染料を含み、
ｃ）前記染料粘土結合体が、少なくとも１つのカチオン性／塩基性染料、及びスメクタイト粘土、並びにこれらの混合物を含み、
ｄ）前記非官能化シロキサンポリマーが、ポリジメチルシロキサン、ジメチコン、ジメチコノール、ジメチコンクロスポリマー、フェニルトリメチコン、アルキルジメチコン、ラウリルジメチコン、ステアリルジメチコン、フェニルジメチコン、フェニルプロピル置換ジメチコン、及びこれらの混合物を含み、
ｅ）前記官能化シロキサンポリマーが、アミノシリコーン、アミドシリコーン、シリコーンポリエーテル、シリコーン−ウレタンポリマー、四級ＡＢｎシリコーン、アミノＡＢｎシリコーン、及びこれらの混合物を含む、請求項７に記載の封入有益剤の集合体。
【請求項９】
前記コア及び／又は前記シェルが、粘度調整剤を更に含み、好ましくは、前記粘度調整剤が、１００ｃＰｓ未満、好ましくは８０ｃＰｓ未満、より好ましくは６０ｃＰｓ未満の粘度を有する、水溶性溶媒、水不溶性溶媒、シリコーン、香料原材料、及び／又はこれらの混合物を含む、請求項１〜８のいずれか一項に記載の封入有益剤の集合体。
【請求項１０】
請求項１〜９のいずれか一項に記載の封入有益剤の集合体と、補助成分とを含む、製品。
【請求項１１】
請求項１０に記載の製品を使用する方法であって、任意で、部位を洗浄、すすぎ、及び／又は乾燥させ、前記部位を請求項１０に記載の製品と接触させ、次いで、任意で、前記部位を洗浄、すすぎ、及び／又は乾燥させることを含む、方法。
【請求項１２】
請求項１１に記載の製品で処理された、部位。
【発明の詳細な説明】
【技術分野】
【０００１】
本願は、コアと前記コアを封入するシェルとを含む封入有益剤を製造するために用いることができる方法、このような方法によって製造される封入有益剤、及びこのような封入有益剤を含む製品に加えて、このような製品を製造及び使用する方法に関する。
【背景技術】
【０００２】
製品（例えば、消費者製品）は、このような製品に及び／又はこのような製品と接触した部位に所望の効果（例えば、着色及び／又は抑泡）をもたらし得る、１つ又は２つ以上の有益剤を含んでよい。残念なことに、特定の製品、例えば、流体製品では、このような製品を使用する前に、有益剤がこのような製品の成分によって分解されたり、該成分を分解したりすることがある。したがって、有益剤から製品の成分を保護し、所望の時点で所望のレベルの有益剤を提供する保護システムが必要とされていた。この分野では様々な努力がなされてきたが、典型的には、必要なレベルの保護及び／又は有益剤放出プロファイルを提供することができていない。更に、色相剤等の多くの材料は、水性及び有機環境において分散性又は可溶性である液体材料である。したがって、このような材料は、従来の方法によって封入することができない。したがって、製品の保管中にこのような製品に損害を与えず、更に、所望の放出プロファイルを送達する封入有益剤が依然として必要とされている。
【発明の概要】
【発明が解決しようとする課題】
【０００３】
フローフォーカシングを用いて封入有益剤を製造しようとする試みが以前に行われている。このような試みは、得られる封入有益剤が、対称、単分散ではなかった、及び／又は均一なコアシェル構造を有していなかったので、限られた効果しかあげなかった。出願人らは、このような問題の原因が、好ましくない運動量及びノズルを通じた物質移動であると認識した。出願人らは、流体粘度並びに／又は濃度、ノズルの流速及びノズルの特徴を賢明に選択することによって、このような問題を最小限に抑え得ると認識した。したがって、出願人らは、所望の保護及び放出効果をもたらす粒子が得られる方法を開示する。
【課題を解決するための手段】
【０００４】
本願は、コアと前記コアを封入するシェルとを含む封入有益剤を製造するために用いることができる方法、このような方法によって製造される封入有益剤、及びこのような封入有益剤を含む製品に加えて、このような製品を製造及び使用する方法に関する。このような方法を用いて、様々な製品で用いるときに所望の保護及び放出プロファイルをもたらす粒子を製造することができる。
【発明を実施するための形態】
【０００５】
定義
本明細書で使用するとき、「消費者製品」とは、一般的に、販売されている形態で使用されることを意図する、ベビーケア、ビューティケア、布地及びホームケア、ファミリーケア、フェミニンケア、ヘルスケア又はデバイスを意味する。このような製品としては、おむつ、よだれかけ、拭き取り用品；脱色、着色、染色、コンディショニング、シャンプー、スタイリングを含む毛髪（ヒト、イヌ、及び／又はネコ）の処理に関連する製品及び／又は方法；防臭剤及び制汗剤；パーソナルクレンジング；化粧品；上質な芳香剤を含む消費者使用のためのクリーム、ローション、及び他の局所塗布製品の塗布を含むスキンケア；並びにシェービング製品、エアフレッシュナー及び芳香送達系を含む空気ケア、車ケア、食器洗浄、布地コンディショニング（柔軟化及び／又はフレッシュニングを含む）、洗濯洗浄、洗濯及びすすぎ添加剤並びに／又はケア、床及び便器洗浄剤を含む硬質表面の洗浄及び／又は処理、並びに消費者用又は業務用の他の洗浄等の、布地及びホームケア領域内の布地、硬質表面、及び任意の他の表面処理に関する製品及び／又は方法；トイレットペーパー、フェイシャルティッシュ、紙ハンカチ、及び／又は紙タオルに関連する製品及び／又は方法；タンポン、女性用ナプキン；練り歯磨き、歯用ジェル、歯用リンス、義歯接着剤、歯ホワイトニングを含む口腔ケアに関連する製品及び／又は方法；咳及び風邪治療薬、鎮痛剤、処方薬を含む店頭販売ヘルスケアが挙げられるが、これらに限定されない。
【０００６】
本明細書で使用するとき、用語「洗浄及び／又は処理組成物」は、特に断りのない限り、ビューティケア、布地及びホームケア製品を含む消費者製品の部分集合である。このような製品としては、脱色、着色、染色、コンディショニング、シャンプー、スタイリング等の毛髪（ヒト、イヌ及び／若しくはネコ）処理用製品；防臭剤及び制汗剤；パーソナルクレンジング；化粧品；上質な芳香剤を含む消費者使用のためのクリーム、ローション、及び他の局所塗布製品等の塗布を含むスキンケア；シェービング製品；エアフレッシュナー及び芳香送達系を含む空気ケア、車ケア、食器洗浄、布地コンディショニング（柔軟化及び／若しくはフレッシュニングを含む）、洗濯洗浄、洗濯及びすすぎ添加剤並びに／又はケア、床及び便器洗浄剤を含む硬質表面の洗浄及び／又は処理、顆粒状又は粉末形態の汎用又は「重質」洗浄剤、特に洗浄洗剤を含む布地及びホームケア領域内の布地、硬質表面及び任意の他の表面の処理用製品；液体、ゲル又はペースト形態の汎用洗浄剤、特にいわゆる重質液体タイプ；高級布地用液体洗剤；手洗い用食器洗浄剤又は軽質食器洗浄剤、特に高発泡型のもの；家庭用及び業務用の様々なタブレット、顆粒、液体及びすすぎ補助型等の機械用食器洗浄剤；抗菌手洗い型、洗浄バー、マウスウォッシュ、義歯洗浄剤、歯磨き、自動車又はカーペット用シャンプー、便器洗浄剤を含む浴室洗剤を含む液体の洗剤及び消毒剤；ヘアシャンプー及びヘアリンス；シャワーゲル、上質な芳香剤及び発泡入浴剤及び金属洗浄剤；並びに、漂白添加剤、及び「ステインスティック」等のクリーニング補助剤、又はドライヤー付与シート、乾燥及び湿潤型拭取り用品及びパッド、不織基材、及びスポンジ等の前処理型基材付与製品；並びに、全ての消費者用及び／又は業務用のスプレー剤、及びミスト剤；並びに／あるいは、練り歯磨き、歯用ゲル、歯用リンス、義歯接着剤、歯のホワイトニングを含む口腔ケアに関する方法が挙げられるが、これらに限定されない。
【０００７】
本明細書で使用するとき、用語「布地及び／又は硬質表面の洗浄及び／又は処理組成物」は、特に断りのない限り、顆粒状又は粉末形態の汎用又は「重質」洗浄剤、特に洗浄洗剤；液体、ゲル又はペースト形態の汎用洗浄剤、特にいわゆる重質液体タイプ；高級布地用液体洗剤；手洗い用食器洗浄剤又は軽質食器洗浄剤、特に高発泡型のもの；家庭用及び業務用の様々なタブレット、顆粒、液体及びすすぎ補助型を含む機械用食器洗浄剤；抗菌手洗い型、洗浄バー、自動車又はカーペット用シャンプー、便器洗浄剤を含む浴室洗浄剤を含む液体の洗浄剤及び消毒剤；並びに、金属洗浄剤、液体、固体及び／若しくは乾燥シート形態であり得る柔軟化剤及び／又はフレッシュニング剤を含む布地コンディショニング製品；並びに、漂白添加剤及び「ステインスティック」等のクリーニング補助剤、又はドライヤー付与シート、乾燥及び湿潤型拭取り用品及びパッド、不織基材、並びにスポンジ等の前処理型基材付与製品；並びにスプレー剤及びミスト剤が挙げられる、洗浄及び処理組成物の部分集合である。適用可能であるこのような製品は全て、標準形態、濃縮形態、又は更には特定の態様ではこのような製品が非水性であり得る程度に高濃縮された形態であり得る。
【０００８】
本明細書で使用するとき、特許請求の範囲において使用される「ａ」及び「ａｎ」等の冠詞は、請求される又は記載されるものの１つ又は２つ以上を意味すると理解される。
【０００９】
本明細書において使用するとき、用語「含む（include）」、「含む（includes）」、及び「含んでいる（including）」は、非限定的であることを意味する。
【００１０】
本明細書で使用するとき、用語「固体」は、顆粒、粉末、バー及び錠剤の製品形態を含む。
【００１１】
本明細書で使用するとき、用語「流体」は、液体、ゲル、ペースト及びガスの製品形態を含む。
【００１２】
本明細書で使用するとき、用語「部位」は、紙製品、布地、衣類、硬質表面、毛髪、及び皮膚を含む。
【００１３】
別途記載のない限り、成分又は組成物の濃度は全て該成分又は組成物の活性部分に関するものであり、このような成分又は組成物の市販の供給源に存在し得る不純物、例えば、残留溶媒又は副生成物は除外する。
【００１４】
別途明示する場合を除き、パーセント及び比は全て、重量によって計算する。別途明示する場合を除き、パーセント及び比は全て、全組成物に基づいて計算する。
【００１５】
本明細書の全体を通じて与えられる全ての最大の数値限定は、それよりも小さい数値限定を、そのようなより小さい数値限定があたかも本明細書に明確に記載されているものと同様にして包含するものと理解すべきである。本明細書全体を通して記載される全ての最小数値限定は、より高い数値限定が本明細書に明示的に記載されているかのように、このような全てのより高い数値限定を含む。本明細書全体を通して記載される全ての数値範囲は、より狭い数値範囲が本明細書に明示的に記載されているかのように、このようなより広い数値範囲内の全てのより狭い数値範囲を含む。
【００１６】
封入有益剤
１つの態様では、約６％〜約５０％、約８％〜約３５％、又は更には約１２％〜約２５％の集合体直径の変動係数を有する封入有益剤の集合体であって、該封入有益剤の集合体が、約３マイクロメートル〜約３００マイクロメートル、約５マイクロメートル〜約２４０マイクロメートル、約１０マイクロメートル〜約１２０マイクロメートルの平均直径を有する封入有益剤を含み得、該封入有益剤が、コア及び該コアを封入するシェルを含み得、該シェルが、アクリレート誘導体、１つの態様では、アクリレート誘導体であるフィルム形成ポリマーを含み、該シェルが、約０．３マイクロメートル〜約１５マイクロメートル、約１マイクロメートル〜約８マイクロメートル、又は更には約１．５マイクロメートル〜約６マイクロメートルの厚みを有し得、シェルの厚みの変動係数が、約２％〜約３０％、約４％〜約２５％、又は更には約６％〜約２０％である、封入有益剤の集合体を開示する。
【００１７】
１つの態様では、該コアは、香料、色相剤、増白剤、シリコーン、酵素、及びこれらの混合物からなる群から選択される材料を含んでよい。
【００１８】
１つの態様では、
ａ）該香料は、プロパ−２−エニル３−シクロヘキシルプロパノエート、（４ａＲ，５Ｒ，７ａＳ，９Ｒ）−オクタヒドロ−２，２，５，８，８，９ａ−ヘキサメチル−４ｈ−４ａ，９−メタノアズレノ（５，６−ｄ）−１，３−ジオキソール、（３ａＲ，５ａＳ，９ａＳ，９ｂＲ）−３ａ，６，６，９ａ−テトラメチル−２，４，５，５ａ，７，８，９，９ｂ−オクタヒドロ−１Ｈ−ベンゾ［ｅ］［１］ベンゾフラン、４−メトキシベンズアルデヒド、ベンジル２−ヒドロキシベンゾエート、２−メトキシナフタレン、３−（４−ｔ−ブチルフェニル）プロパナール、３ａ，６，６，９ａ−テトラメチル−２，４，５，５ａ，７，８，９，９ｂ−オクタヒドロ−１Ｈ−ベンゾ［ｅ］［１］ベンゾフラン、３，７−ジメチルオクタ−６−エン−１−オール、３，７−ジメチルオクタ−６−エンニトリル、３−（４−ｔ−ブチルフェニル）ブタナール、３−（４−プロパン−２−イルフェニル）ブタナール、（Ｅ）−１−（２，６，６−トリメチル−１−シクロヘキサ−１，３−ジエニル）ブタ−２−エン−１−オン、デカナール、（Ｅ）−１−（２，６，６−トリメチル−１−シクロヘキサ−３−エニル）ブタ−２−エン−１−オン、（５Ｅ）−３−メチルシクロペンタデカ−５−エン−１−オン、２，６−ジメチルオクタ−７−エン−２−オール、エチル２−メチルペンタノエート、エチル２−メチルブタノエート、１，３，３−トリメチル−２−オキサビシクロ［２，２，２］オクタン、２−メトキシ−４−プロパ−２−エニルフェノール、３ａ，４，５，６，７，７ａ−ヘキサヒドロ−４，７−メタノ−１Ｈ−インデニルアセテート、３−（３−プロパン−２−イルフェニル）ブタナール、ａ，４，５，６，７，７ａ−ヘキサヒドロ−１Ｈ−４，７−メタノインデン−１−イルプロパノエート、（２Ｅ）−３，７−ジメチルオクタ−２，６−ジエン−１−オール、（１２Ｅ）−１−オキサシクロヘキサデカ−１２−エン−２−オン、［２−［１−（３，３−ジメチルシクロヘキシル）エトキシ］−２−メチルプロピル］プロパノエート、ヘキシルアセテート、２−（フェニルメチリデン）オクタナール、ヘキシル２−ヒドロキシベンゾエート、（Ｅ）−４−（２，６，６−トリメチル−１−シクロヘキサ−２−エニル）ブタ−３−エン−２−オン、（Ｅ）−４−（２，６，６−トリメチル−１−シクロヘキセニル）ブタ−３−エン−２−オン、（Ｅ）−３−メチル−４−（２，６，６−トリメチル−１−シクロヘキサ−２−エニル）ブタ−３−エン−２−オン、１−（２，３，８，８−テトラメチル−１，３，４，５，６，７−ヘキサヒドロナフタレン−２−イル）エタノン、プロパン−２−イル２−メチルブタノエート、（１Ｒ，２Ｓ，５Ｒ）−５−メチル−２−プロパン−２−イルシクロヘキサン−１−オール、（Ｅ）−２−エチル−４−（２，２，３−トリメチル−１−シクロペンタ−３−エニル）ブタ−２−エン−１−オール、２，４−ジメチルシクロヘキサ−３−エン−１−カルバルデヒド、３，７−ジメチルオクタ−１，６−ジエン−３−オール、３，７−ジメチルオクタ−１，６−ジエン−３−イルアセテート、１−（（３Ｒ，３ａＳ，７Ｒ，８ａＳ）−２，３，４，７，８，８ａ−ヘキサヒドロ−３，６，８，８−テトラメチル−１Ｈ−３ａ，７−メタノアズレン−５−イル）−エタノン、メチル３−オキソ−２−ペンチルシクロペンタンアセテート、２−メチルウンデカナール、２−［２−（４−メチル−１−シクロヘキサ−３−エニル）プロピル］シクロペンタン−１−オン、１−（５，５−ジメチル−１−シクロヘキセニル）ペンタ−４−エン−１−オン、２−シクロヘキシリデン−２−フェニルアセトニトリル、２−フェニルエタノール、３，７−ジメチルオクタン−３−オール、５−ヘプチルオキソラン−２−オン、（２−ｔ−ブチルシクロヘキシル）アセテート、（Ｅ）−４−メチルデカ−３−エン−５−オール、（４−ｔ−ブチルシクロヘキシル）アセテート、デカヒドロ−２，２，６，６，７，８，８−ヘプタメチル−２Ｈ−インデノ（４，５−ｂ）フラン、１７−オキサシクロヘプタデカ−６−エン−１−オン、ペンチル２−ヒドロキシベンゾエート、ベンジルアセテート、４−フェニルブタン−２−オン、２−メトキシナフタレン、１，７，７−トリメチルビシクロ［２．２．１］ヘプタン−２−オン、１，１，２，３，３−ペンタメチル−２，５，６，７−テトラヒドロ−インデン−４−オン、１Ｈ−３ａ，７−メタノアズレン、オクタヒドロ−６−メトキシ−３，６，８，８−テトラメチル、［（Ｚ）−ヘキサ−３−エニル］アセテート、［（Ｚ）−ヘキサ−３−エニル］２−ヒドロキシベンゾエート、（９Ｚ）−シクロヘプタデカ−９−エン−１−オン、クロメン−２−オン、シクロヘキシル２−ヒドロキシベンゾエート、エチル３−メチル−３−フェニルオキシラン−２−カルボキシレート、３−エトキシ−４−ヒドロキシベンズアルデヒド、１，４−ジオキサシクロヘプタデカン−５，１７−ジオン、１６−オキサシクロヘキサデカン−１−オン、ジエチルシクロヘキサン−１，４−ジカルボキシレート、１−（５，５−ジメチル−１−シクロヘキセニル）ペンタ−４−エン−１−オン、［（２Ｅ）−３，７−ジメチルオクタ−２，６−ジエニル］アセテート、３−（１，３−ベンゾジオキソール−５−イル）−２−メチルプロパナール、１，３−ベンゾジオキソール−５−カルバルデヒド、６−（ペンタ−３−エン−１−イル）テトラヒドロ−２Ｈ−ピラン−２−オン、［（１Ｒ，２Ｓ）−１−メチル−２−［［（１Ｒ，３Ｓ，５Ｓ）−１，２，２−トリメチル−３−ビシクロ［３．１．０］ヘキサニル］メチル］シクロプロピル］メタノール、（Ｚ）−３，４，５，６，６−ペンタメチル−ヘプタ−３−エン−２−オン、ドデカナール、３，７−ジメチルノナ−２，６−ジエンニトリル、（２Ｓ）−２−アミノペンタン二酸、メチル２，４−ジヒドロキシ−３，６−ジメチルベンゾエート、２，６−ジメチルオクタ−７−エン−２−オール、４−（４−ヒドロキシ−４−メチルペンチル）シクロヘキサ−３−エン−１−カルバルデヒド、１−ナフタレン−２−イルエタノン、４−メチル−２−（２−メチルプロパ−１−エニル）オキサン、１Ｈ−インデン−ａｒ−プロパナール、２，３−ジヒドロ−１，１−ジメチル−（９ＣＩ）、ノナナール、オクタナール、２−フェニルエチル２−フェニルアセテート、３−メチル−５−フェニルペンタン−１−オール、４−メチル−２−（２−メチルプロピル）オキサン−４−オール、１−オキサシクロヘプタデカン−２−オン、１−（スピロ［４．５］デカ−７−エン−７−イル）ペンタ−４−エン−１−オン、２−（４−メチル−１−シクロヘキサ−３−エニル）プロパン−２−オール、１−メチル−４−プロパン−２−イリデンシクロヘキセン、（４−メチル−１−プロパン−２−イル−１−シクロヘキサ−２−エニル）アセテート、１，２−ジメチルシクロヘキサ−３−エン−１−カルバルデヒド、ウンデカ−１０−エナール、［（４Ｚ）−１−シクロオクタ−４−エニル］メチルカーボネート、８−メチル−１，５−ベンゾジオキセピン−３−オン、ノナ−２，６−ジエナール、（５Ｚ）−シクロヘキサデカ−５−エン−１−オン、２，６，１０−トリメチルウンデカ−９−エナール、プロパ−２−エニルヘキサノエート、（Ｅ）−１−（２，６，６−トリメチル−１−シクロヘキサ−２−エニル）ブタ−２−エン−１−オン、３−フェニルプロパ−２−エン−１−オール、３，７−ジメチルオクタ−２，６−ジエナール、３，７−ジメチルオクタ−６−エニルアセテート、［２−（２−メチルブタン−２−イル）シクロヘキシル］アセテート、３ａ，４，５，６，７，７ａ−ヘキサヒドロ−４，７−メタノ−１Ｈ−インデン−５−イル２−メチルプロパノエート、２−ペンチルシクロペンタン−１−オール、（Ｅ）−デカ−４−エナール、２−ペンチルシクロペンタン−１−オン、２−メトキシ−４−プロピルフェノール、メチル２−ヘキシル−３−オキソシクロペンタン−１−カルボキシレート、フェノキシベンゼン、エチル３−フェニルプロパ−２−エノエート、（Ｅ）−２−エチル−４−（２，２，３−トリメチル−１−シクロペンタ−３−エニル）ブタ−２−エン−１−オール、３−（４−エチルフェニル）−２，２−ジメチル−プロパナール、４−メチル−２−（２−メチルプロピル）オキサン−４−オール、２−メチルデカンニトリル、５−ヘキシルオキソラン−２−オン、５−（ジエトキシメチル）−１，３−ベンゾジオキソール、７−ヒドロキシ−３，７−ジメチルオクタナール、（Ｅ）−４−（２，５，６，６−テトラメチル−１−シクロヘキサ−２−エニル）ブタ−３−エン−２−オン、［（１Ｒ，４Ｓ，６Ｒ）−１，７，７−トリメチル−６−ビシクロ［２．２．１］ヘプタニル］アセテート、６−ブタン−２−イルキノリン、２−メトキシ−４−プロパ−１−エン−２−イルフェノール、（ＮＥ）−Ｎ−［（６Ｅ）−２，４，４，７−テトラメチルノナ−６，８−ジエン−３−イリデン］ヒドロキシルアミン、（４−プロパン−２−イルシクロヘキシル）−メタノール、２，６−ジメチルヘプタ−５−エナール、（１Ｒ，２Ｓ，５Ｒ）−５−メチル−２−プロパン−２−イルシクロヘキサン−１−オール、エチル２−（２−メチル−１，３−ジオキソラン−２−イル）アセテート、１−フェニルエチルアセテート、１−（３，５，５，６，８，８−ヘキサメチル−６，７−ジヒドロナフタレン−２−イル）エタノン、６−ブチルオキサン−２−オン、２，４−ジメチル−２−（５，６，７，８−テトラヒドロ−５，５，８，８−テトラメチル−２−ナフタレニル）−１，３−ジオキソラン、（２Ｒ，４Ｓ）−２−メチル−４−プロピル−１，３−オキサチアン、４−（４−ヒドロキシフェニル）ブタン−２−オン、３−メチル−５−フェニルペンタン−１−オール、４−（（１Ｒ，５Ｓ）−６，６−ジメチルビシクロ［３．１．１］ヘプタ−２−エン−２−イル）−３，３−ジメチルブタン−２−オン、３−メチルブタ−２−エニルアセテート、デカ−９−エン−１−オール、５−（３−メチルフェニル）ペンタン−１−オール、３，７−ジメチルオクタン−３−オール、１−メトキシ−４−［（Ｅ）−プロパ−１−エニル］ベンゼン、４−ヒドロキシ−３−メトキシベンズアルデヒド、９−アセチル−２，６，６，８−テトラメチルトリシクロ（５．３．１．０１，５）ウンデカ−８−エン、２，５−ジオキサシクロヘキサ−デカン−１，６−ジオン及びこれらの混合物からなる群から選択される材料を含んでよく、
ｂ）該色相剤は、低分子染料、高分子染料、染料粘土結合体、顔料、又はこれらの混合物からなる群から選択される材料を含んでよく、
ｃ）該増白剤は、４，４’−ビス−（２−スルホスチリル）ビフェニル二ナトリウム；ベンゼンスルホン酸，２，２’−（１，２−エテンジイル）ビス［５−［４−［（２−ヒドロキシエチル）メチルアミノ］−６−（フェニルアミノ）−１，３，５−トリアジン−２−イル］アミノ］−，二ナトリウム塩；４，４’−ビス｛［４−アニリノ−６−［ビス（２−ヒドロキシエチル）アミノ−ｓ−トリアジン−２イル］−アミノ｝−２，２’−スチルベンジスルホン酸二ナトリウム；４，４’−ビス［（４−アニリノ−６−（Ｎ−２−ヒドロキシエチル−Ｎ−メチルアミノ）−ｓ−トリアジン−２−イル）アミノ］２，２’−スチルベンジスルホン酸二ナトリウム；４，４’−ビス｛［４−アニリノ−６−メチルアミノ−ｓ−トリアジン−２−イル］−アミノ｝−２，２’−スチルベンジスルホン酸二ナトリウム；４，４”−ビス［４，６−ジ−アニリノ−ｓ−トリアジン−２−イル］−２，２’−スチルベンジスルホン酸二ナトリウム；４，４’−ビス｛［４−アニリノ−６−モルホリノ−ｓ−トリアジン−２−イル｝−アミノ｝−２，２’−スチルベンジスルホン酸二ナトリウム；及びこれらの混合物からなる群から選択される材料を含んでよく、
ｄ）該シリコーンは、非官能化シロキサンポリマー、官能化シロキサンポリマー、シリコーン樹脂、シリコーン溶媒、環状シリコーン、及びこれらの混合物からなる群から選択される材料を含んでよく、
ｅ）該酵素は、ペルオキシダーゼ、プロテアーゼ、リパーゼ、ホスホリパーゼ、セロビオヒドロラーゼ、セルビオースデヒドロゲナーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びこれらの混合物からなる群から選択される材料を含んでよい。
【００１９】
１つの態様では、
ａ）該低分子染料は、ダイレクト・ブルー、ダイレクト・レッド、ダイレクト・バイオレット、アシッド・ブルー、アシッド・レッド、アシッド・バイオレット、ベーシック・ブルー、ベーシック・バイオレット及びベーシック・レッドのカラーインデックス分類に該当する染料、又はこれらの混合物からなる群から選択される材料を含んでよく、
ｂ）該高分子染料は、結合した色原体を含有するポリマー（染料−ポリマー結合体）及びポリマー骨格に色原体が共重合しているポリマー、並びにこれらの混合物からなる群から選択される高分子染料を含んでよく、
ｃ）該染料粘土結合体は、少なくとも１つのカチオン性／塩基性染料、及びスメクタイト粘土、並びにこれらの混合物を含んでよく、
ｄ）該非官能化シロキサンポリマーは、ポリジメチルシロキサン、ジメチコン、ジメチコノール、ジメチコンクロスポリマー、フェニルトリメチコン、アルキルジメチコン、ラウリルジメチコン、ステアリルジメチコン、フェニルジメチコン、フェニルプロピル置換ジメチコン、及びこれらの混合物を含んでよく、
ｅ）該官能化シロキサンポリマーは、アミノシリコーン、アミドシリコーン、シリコーンポリエーテル、シリコーン−ウレタンポリマー、四級ＡＢｎシリコーン、アミノＡＢｎシリコーン、及びこれらの混合物を含んでよい。
【００２０】
１つの態様では、該色相剤は、くすんだ白色の衣類の白い外観を改善するか、又は布地に補色を付加することによって布地の黄色っぽい外観を補正することによって白い外観を保つ作用を有し、それによって、不所望の黄色い色合いが目立たなくなるか又は全く気付かなくなる。水溶性の青色及び紫色の染料が一般的に用いられる。好適な色相剤としては、以下が挙げられる：（ａ）ダイレクト・ブルー、ダイレクト・レッド、ダイレクト・バイオレット、アシッド・ブルー、アシッド・レッド、アシッド・バイオレット、ベーシック・ブルー、ベーシック・バイオレット、及びベーシック・レッドのカラーインデックス分類に該当する染料、又はこれらの混合物からなる群から選択される低分子染料、例えば、ダイレクト・バイオレットカラーインデックス（Ｓｏｃｉｅｔｙ  ｏｆ  Ｄｙｅｒｓ  ａｎｄ  Ｃｏｌｏｕｒｉｓｔｓ，Ｂｒａｄｆｏｒｄ，ＵＫ）番号ダイレクト・バイオレット９、ダイレクト・バイオレット３５、ダイレクト・バイオレット４８、ダイレクト・バイオレット５１、ダイレクト・バイオレット６６、ダイレクト・ブルー１、ダイレクト・ブルー７１、ダイレクト・ブルー８０、ダイレクト・ブルー２７９、アシッド・レッド１７、アシッド・レッド７３、アシッド・レッド８８、アシッド・レッド１５０、アシッド・バイオレット１５、アシッド・バイオレット１７、アシッド・バイオレット２４、アシッド・バイオレット４３、アシッド・バイオレット４９、アシッド・ブルー１５、アシッド・ブルー１７、アシッド・ブルー２５、アシッド・ブルー２９、アシッド・ブルー４０、アシッド・ブルー４５、アシッド・ブルー７５、アシッド・ブルー８０、アシッド・ブルー８３、アシッド・ブルー９０及びアシッド・ブルー１１３、アシッド・ブラック１、ベーシック・バイオレット１、ベーシック・バイオレット３、ベーシック・バイオレット４、ベーシック・バイオレット１０、ベーシック・バイオレット３５、ベーシック・ブルー３、ベーシック・ブルー１６、ベーシック・ブルー２２、ベーシック・ブルー４７、ベーシック・ブルー６６、ベーシック・ブルー７５、ベーシック・ブルー１５９、アシッド・バイオレット１７、アシッド・バイオレット４３、アシッド・レッド７３、アシッド・レッド８８、アシッド・レッド１５０、アシッド・ブルー２５、アシッド・ブルー２９、アシッド・ブルー４５、アシッド・ブルー１１３、アシッド・ブラック１、ダイレクト・ブルー１、ダイレクト・ブルー７１、及びダイレクト・バイオレット５１。（ｂ）高分子染料としては、結合した色原体を含有するポリマー（染料−ポリマー結合体）、及びポリマー骨格に色原体が共重合しているポリマー、並びにこれらの混合物からなる群から選択される高分子染料、例えば、Ｌｉｑｕｉｔｉｎｔ（登録商標）（Ｍｉｌｌｉｋｅｎ（Ｓｐａｒｔａｎｂｕｒｇ，Ｓｏｕｔｈ  Ｃａｒｏｌｉｎａ，ＵＳＡ））として販売されている布地直接着色剤、少なくとも１つの反応染料と、ヒドロキシル部分、一級アミン部分、二級アミン部分、チオール部分、及びこれらの混合物からなる群から選択される部分を含むポリマーからなる群から選択されるポリマーとから形成される染料−ポリマー結合体からなる群から選択��れる高分子染料が挙げられる。更に別の態様では、好適な高分子染料としては、Ｌｉｑｕｉｔｉｎｔ（登録商標）（Ｍｉｌｌｉｋｅｎ（Ｓｐａｒｔａｎｂｕｒｇ，Ｓｏｕｔｈ  Ｃａｒｏｌｉｎａ，ＵＳＡ）バイオレットＣＴ、反応性青色、反応性紫色、又は反応性赤色染料と結合しているカルボキシメチルセルロース（ＣＭＣ）（例えば、商標名ＡＺＯ−ＣＭ−ＣＥＬＬＵＬＯＳＥ（製品コードＳ−ＡＣＭＣ）としてＭｅｇａｚｙｍｅ（Ｗｉｃｋｌｏｗ、Ｉｒｅｌａｎｄ）によって販売されているＣ．Ｉ．リアクティブブルー１９と結合しているＣＭＣ等）、及びこれらの混合物からなる群から選択される高分子染料が挙げられる。（ｃ）染料粘土結合体としては、少なくとも１つのカチオン性／塩基性染料及びスメクタイト粘土、並びにこれらの混合物を含む群から選択される染料粘土結合体が挙げられる。（ｄ）ウルトラマリンブルー（Ｃ．Ｉ．ピグメントブルー２９）、ウルトラマリンバイオレット（Ｃ．Ｉ．ピグメントバイオレット１５）、及びこれらの混合物等の顔料。更に、このような色相剤及び使用濃度の好適な例は、参照により組み込まれる米国特許第５，７７０，５５２号、同第４，９１２，２０３号、及び米国特許出願第２０１１／０１２４８３７号にみられる。
【００２１】
本発明において有用な、転染防止作用を提供することもできる非限定的な増白剤は、以下の一般構造式を有するものである。
【００２２】
【化１】
2018039002.tif 000002
（式中、Ｒ１は、アニリノ、Ｎ−２−ビス−ヒドロキシエチル及びＮＨ−２−ヒドロキシエチルから選択され；Ｒ２は、Ｎ−２−ビス−ヒドロキシエチル、Ｎ−２−ヒドロキシエチル−Ｎ−メチルアミノ、モルフィリノ、クロロ及びアミノから選択され；Ｍは、ナトリウム又はカリウム等の塩形成カチオンである。）
【００２３】
上式において、Ｒ１がアニリノであり、Ｒ２がＮ−２−ビス−ヒドロキシエチルであり、Ｍがナトリウム等のカチオンである場合、増白剤は、４，４’−ビス［（４−アニリノ−６−（Ｎ−２−ビス−ヒドロキシエチル）−ｓ−トリアジン−２−イル）アミノ］−２，２’−スチルベンジスルホン酸及び二ナトリウム塩である。この特定の増白剤種は、Ｃｉｂａ  Ｓｐｅｃｉａｌｔｙ  Ｃｈｅｍｉｃａｌｓ  Ｃｏｒｐｏｒａｔｉｏｎにより商標名Ｔｉｎｏｐａｌ−ＵＮＰＡ−ＧＸ（登録商標）として市販されている。
【００２４】
上式において、Ｒ１がアニリノであり、Ｒ２がＮ−２−ヒドロキシエチル−Ｎ−２−メチルアミノであり、Ｍがナトリウム等のカチオンである場合、増白剤は、４，４’−ビス［（４−アニリノ−６−（Ｎ−２−ヒドロキシエチル−Ｎ−メチルアミノ）−ｓ−トリアジン−２−イル）アミノ］２，２’−スチルベンジスルホン酸二ナトリウム塩である。この特定の増白剤種は、Ｃｉｂａ  Ｓｐｅｃｉａｌｔｙ  Ｃｈｅｍｉｃａｌｓ  Ｃｏｒｐｏｒａｔｉｏｎにより商標名Ｔｉｎｏｐａｌ−５ＢＭ−ＧＸ（登録商標）として市販されている。
【００２５】
上式において、Ｒ１がアニリノであり、Ｒ２がモルフィリノであり、Ｍがナトリウム等のカチオンである場合、増白剤は、４，４’−ビス［（４−アニリノ−６−モルフィリノ−ｓ−トリアジン−２−イル）アミノ］２，２’−スチルベンジスルホン酸，ナトリウム塩である。この特定の増白剤種は、Ｃｉｂａ  Ｓｐｅｃｉａｌｔｙ  Ｃｈｅｍｉｃａｌｓ
Ｃｏｒｐｏｒａｔｉｏｎにより商標名Ｔｉｎｏｐａｌ−ＡＭＳ−ＧＸ（登録商標）として市販されている。幾つかの好ましいが非限定的な増白剤を以下に示す。
【００２６】
【表１−１】
2018039002.tif 000003
【００２７】
【表１−２】
2018039002.tif 000004
【００２８】
１つの態様では、その良好な安定性及び洗濯における性能から、Ｔｉｎｏｐａｌ  ＣＢＳ−Ｘ増白剤が特に好ましい。
【００２９】
１つの態様では、該シリコーンは、Ｓｉ−Ｏ部分を含んでよく、（ａ）非官能化シロキサンポリマー、（ｂ）官能化シロキサンポリマー、及びこれらの組み合わせから選択され得る。オルガノシリコーンの分子量は、通常、物質の粘度を参照することによって示される。１つの態様では、オルガノシリコーンは、２５℃で約１ｃＰｓ〜約２，０００，０００ｃＰｓ、又は約５ｃＰｓ〜約８００，０００ｃＰｓ、又は更には約１０ｃＰｓ〜約３００，０００ｃＰｓ、又は更には約５０ｃＰｓ〜約５０，０００ｃＰｓの粘度を有し得る。
１つの態様では、好適なオルガノシリコーン又はその混合物は、２５℃で約１０ｃＰｓ〜約１０，０００ｃＰｓ、又は約５０ｃＰｓ〜約１，０００ｃＰｓ、又は更には約８０ｃＰｓ〜約６００ｃＰｓの粘度を有し得る。
【００３０】
特にシリコーン物質及びシリコーン樹脂は、「ＭＤＴＱ」命名法として当業者に公知の簡便な命名システムに従って便利に同定することができる。このシステムでは、シリコーンは、シリコーンを構成する様々なシロキサンモノマー単位の存在に従って記載される。
簡潔に言うと、記号Ｍは、一官能性単位（ＣＨ３）３ＳｉＯ０．５を意味し、Ｄは、二官能性単位（ＣＨ３）２ＳｉＯを意味し、Ｔは、三官能性単位（ＣＨ３）ＳｉＯ１．５を意味し、Ｑは、四又は五官能性単位ＳｉＯ２を意味する。単位記号のプライム符号（例えば、Ｍ’、Ｄ’、Ｔ’、及びＱ’）は、メチル以外の置換基を意味し、出現の度に具体的に定義しなければならない。
【００３１】
好適なオルガノシリコーンは、直鎖状であっても、分枝状であっても、又は架橋されていてもよい。１つの態様では、オルガノシリコーンは、シリコーン樹脂を含み得る。シリコーン樹脂は、高度に架橋されたポリマーシロキサン系である。架橋は、シリコーン樹脂の製造中に三官能性及び四官能性シランを一官能性又は二官能性又はこれら両方のシランと共に組み込むことによって導入される。本明細書で使用するとき、用語ＳｉＯ「ｎ」／２は、酸素原子とケイ素原子との比を表す。例えば、ＳｉＯ１／２は、１つの酸素が２つのＳｉ原子間で共有されていることを意味する。同様に、ＳｉＯ２／２は、２つの酸素原子が２つのＳｉ原子間で共有されていることを意味し、ＳｉＯ３／２は、３つの酸素原子が２つのＳｉ原子間で共有されていることを意味する。
【００３２】
１つの態様では、オルガノシリコーンは、ポリジメチルシロキサン、ジメチコン、ジメチコノール、ジメチコンクロスポリマー、フェニルトリメチコン、アルキルジメチコン、ラウリルジメチコン、ステアリルジメチコン、フェニルジメチコン、フェニルプロピル置換ジメチコン、及びこれらの混合物を含んでよい。
【００３３】
１つの態様では、有機シリコーンは、環状シリコーンを含み得る。環状シリコーンは、式［（ＣＨ３）２ＳｉＯ］ｎ（式中、ｎは、約３〜約７、又は約５〜約６の範囲であり得る整数である）のシクロメチコンを含み得る。
【００３４】
１つの態様では、オルガノシリコーンは、官能化シロキサンポリマーを含んでよい。官能化シロキサンポリマーは、アミノ、アミド、アルコキシ、ヒドロキシ、ポリエーテル、カルボキシ、ヒドリド、メルカプト、サルフェート、ホスフェート、及び／又は四級アンモニウム部分からなる群から選択される１つ又は２つ以上の官能性部分を含んでよい。これら部分は、二価アルキレンラジカルを通してシロキサン骨格に直接結合してもよく（すなわち、「ペンダント」）、又は骨格の一部であってもよい。好適な官能化シロキサンポリマーとしては、アミノシリコーン、アミドシリコーン、シリコーンポリエーテル、シリコーン−ウレタンポリマー、第四級ＡＢｎシリコーン、アミノＡＢｎシリコーン、及びこれらの混合物からなる群から選択される物質が挙げられる。
【００３５】
好適なシリコーンの非限定的な例は、Ｐｕｌｐａｉｄ（登録商標）３５００、Ｐｕｌｐａｉｄ（登録商標）３６００、Ｘｉａｍｅｔｅｒ（登録商標）ＡＣＰ−０００１、Ｘｉａｍｅｔｅｒ（登録商標）ＰＭＸ−０２４５  ａｎｄ  Ｘｉａｍｅｔｅｒ（登録商標）ＰＭＸ−０２４６、Ｄｏｗ  ｃｏｒｎｉｎｇ（登録商標）ＦＳ１２６６（Ｄｏｗ  Ｃｏｒｎｉｎｇ製）；Ｓｉｌｆｏａｍ（登録商標）ＳＤ  ８６０、Ｓｉｌｆｏａｍ（登録商標）ＳＤ
１６８、Ｓｉｌｆｏａｍ（登録商標）ＳＤ  ８５０、Ｓｉｌｆｏａｍ（登録商標）ＳＤ
６５０、Ｓｉｌｆｏａｍ（登録商標）ＳＥ  ３６、Ｓｉｌｆｏａｍ（登録商標）ＳＥ  ３９、Ｓｉｌｆｏａｍ（登録商標）ＳＣ  １０９２、Ｓｉｌｆｏａｍ（登録商標）ＳＣ  １１３２、Ｓｉｌｆｏａｍ（登録商標）ＳＣ  １２９、Ｓｉｌｆｏａｍ（登録商標）ＳＣ
１３２、Ｓｉｌｆｏａｍ（登録商標）ＳＥ  ４７、Ｓｉｌｆｏａｍ（登録商標）ＳＲＥ及びＳｉｌｆｏａｍ（登録商標）ＳＥ  ９０（Ｗａｃｋｅｒ  Ｃｏｒｐ．製）；Ｔｅｇｏ
３０６２（Ｇｏｌｄｓｃｈｍｉｄｔ製）；ＡＦ−１４０ＴＧ及びＴｒｉ−Ｌｕｂｅ−６０−ＰＲ（Ｔｒｉ−Ｃｈｅｍ  Ｉｎｄｕｓｔｒｉｅｓ製）；並びにＡｎｔｉｆｏａｍ  ２２２６（Ｂａｓｉｌｄｏｎ  Ｃｈｅｍｉｃａｌｓ製）である。
【００３６】
１つの態様では、該アクリレート誘導体は、一官能性アクリレートモノマー、二官能性アクリレートモノマー、三官能性アクリレートモノマー、四官能性アクリレートモノマー、五官能性アクリレートモノマー、又はこれらの混合物と、光開始剤との反応に由来し得る。
【００３７】
１つの態様では、官能性モノマーは、ｔ−ブチルシクロヘキサノールアクリレート、２−（２−エトキシ）エチルアクリレート、Ｃ１６〜Ｃ１８アルキルアクリレート、ジエチレングリコールモノブチルエーテルアクリレート、テトラヒドロフルフリルアクリレート、Ｃ１２アルキルアクリレート（ラウリルアクリレート）、Ｃ１２アルキルメタクリレート（ラウリルメタクリレート）、Ｃ１２〜Ｃ１４アルキルメタクリレート、Ｃ１６〜Ｃ１８アルキルメタクリレート、２−フェノキシエチルアクリレート、２−フェノキシエチルメタクリレート、イソデシルアクリレート、４−フェノキシエチルアクリレート、３，３，５−トリメチルシクロヘキサノールアクリレート、３，３，５−トリメチルシクロヘキサノールメタクリレート、イソオクチルアクリレート、オクチルデシルアクリレート、トリデシルアクリレート、カプロラクトンアクリレート、エトキシ化ノニルフェノールアクリレート、イソボルニルアクリレート、イソボルニルメタクリレート、環状トリメチロールプロパンホルマールアクリレート、Ｃ１８アルキルアクリレート（ステアリルアクリレート）、１，６−ヘキサンジオールジアクリレート、ポリエチレングリコール２００ジアクリレート、ポリエチレングリコール４００ジアクリレート、ポリエチレングリコール６００ジアクリレート、ポリエチレングリコール２００ジメタクリレート、ポリエチレングリコール４００ジメタクリレート、ポリエチレングリコール６００ジメタクリレート、テトラエチレングリコールジアクリレート、トリエチレングリコールジアクリレート、トリプロピレングリコールジアクリレート、３−メチル１，５−ペンタンジオールジアクリレート、エトキシ化ビスフェノールＡジアクリレート、エトキシ化ビスフェノールＡジメタクリレート、プロポキシ化ジアクリレート、ジプロピレングリコールジアクリレート、ジプロピレングリコールモノメタクリレート、ジオキサングリコールジアクリレート、１，１０−デカンジオールジアクリレート、エステルジオールジアクリレート、アルコキシ化ジアクリレート、トリシクロデカンジメタノールジアクリレート、プロポキシ化ネオペンチルグリコールジアクリレート、ペンタエリスリトールテトラアクリレート、トリメチロールプロパントリアクリレート、ジトリメチロールプロパンテトラアクリレート、トリス（２−ヒドロキシエチル）イソシアヌレートトリアクリレート、ジペンタエリスリトールペンタアクリレート、ペンタエリスリトールトリアクリレート、エトキシ化トリメチロールプロパントリアクリレート、プロポキシ化トリメチロールプロパントリアクリレート、エトキシ化ペンタエリスリトールテトラアクリレート、プロポキシ化グリセロールトリアクリレート、テトラヒドロフルフリルメタクリレート、エチレングリコールジメタクリレート、トリエチレングリコールジメタクリレート、テトラエチレングリコールジメタクリレート、１，４−ブタンジオールジメタクリレート、ジエチレングリコールジメタクリレート、１，６−ヘキサンジオールジメタクリレート、１，１２−ドデカンジオールジメタクリレート、１，３−ブチレングリコールジメタクリレート、トリシクロデカンジメタノールジメタクリレート、トリメチロールプロパントリメタクリレート及びこれらの混合物からなる群から選択してよい。
【００３８】
１つの態様では、官能性モノマーは、イソボルニルアクリレート、ラウリルアクリレート、１，６−ヘキサンジオールジアクリレート、ジペンタエリスリトールペンタアクリレート、ペンタエリスリトールトリアクリレート、ジエチレングリコールジメタクリレート、及びこれらの混合物からなる群から選択してよい。
【００３９】
モノマーの非限定的な例としては、ＳＲ９０５４、ＳＲ９０５０、ＳＲ９０５１、ＳＲ８０２、ＳＲ２９７Ｊ、ＳＲ２１４、ＳＲ２３８、ＳＲ２３９Ａ、ＳＲ８０２、ＳＲ２３１、ＳＲ６０６Ａ、ＳＲ２３１、ＳＲ５０８、ＳＲ３４８Ｌ、ＳＲ３４９、ＳＲ２０６、ＳＲ２５９、ＳＲ３４４、ＳＲ３４４、ＳＲ６０３ＯＰ、ＳＲ６１０、ＳＲ２１０、ＳＲ３０６（全て、Ｓａｒｔｏｍｅｒ（４２０、ｒｕｅ  ｄ’Ｅｓｔｉｅｎｎｅ  ｄ’Ｏｒｖｅｓ、Ｆ−９２７０５  Ｃｏｌｏｍｂｅｓ  Ｃｅｄｅｘ、Ｆｒａｎｃｅ）製）が挙げられる。
【００４０】
理論に縛られるものではないが、光開始剤は、特に、吸収した光エネルギー、ＵＶ又は可視光を、開始種、すなわち、フリーラジカル又はカチオンの形態の化学エネルギーに変換するために処方に添加される化合物である。開始ラジカルが形成される機構に基づいて、光開始剤は、一般的に、２つの分類に分けられる。
ａ）タイプＩ光開始剤は、照射時に単分子結合切断を受けて、フリーラジカル（すなわち、ベンゾインエーテル、ベンジルケタール、α−ジアルコキシ−アセト−フェノン、α−ヒドロキシアルキルフェノン、α−アミノアルキルフェノン、アシルホスフィンオキシド）を生成する。
ｂ）タイプＩＩ光開始剤は、励起状態の光開始剤が第２の分子（補助開始剤）と相互作用する二分子反応を受けて、フリーラジカル（すなわち、ベンゾフェノン／アミン、チオキサントン／アミン）を発生させる。
【００４１】
光開始を効率的に進めるために、光開始剤の吸収帯が起源の発光スペクトルと重なっていなくてはならず、また、光開始剤の励起に対応する波長における処方の成分による競合吸収を最小化しなければならない。用途において光開始剤、すなわち、ＵＶ源の発光スペクトル及び処方の吸収窓に存在する励起波長を有するものを最初に選択するために、光開始剤の吸収スペクトルに関する情報が有用である。
【００４２】
１つの態様では、該光開始剤は、アセトフェノン、アニソイン、アントラキノン、アントラキノン−２−スルホン酸ナトリウム塩一水和物、（ベンゼン）トリカルボニルクロム、ベンジル、ベンゾインメチルエーテル、２−ベンジル−２−（ジメチルアミノ）−４’−モルホリノブチロフェノン、４，４’−ビス（ジエチルアミノ）ベンゾフェノン、２−クロロチオキサンテン−９−オン、（クメン）シクロペンタジエニル鉄（ＩＩ）ヘキサフルオロホスフェート、ジベンゾスベレノン、２，２−ジエトキシアセトフェノン、２，２−ジメトキシ−２−フェニルアセトフェノン、４−（ジメチルアミノ）ベンゾフェノン、４，４’−ジメチルベンジル、２，５−ジメチルベンゾフェノン、３，４−ジメチルベンゾフェノン、４’−エトキシアセトフェノン、フェロセン、３’−ヒドロキシアセトフェノン、４’−ヒドロキシアセトフェノン、３−ヒドロキシベンゾフェノン、１−ヒドロキシシクロヘキシルフェニルケトン、２−ヒドロキシ−２−メチルプロピオフェノン、２−メチルベンゾフェノン、２−メチル−４’−（メチルチオ）−２−モルホリノプロピオフェノン、４’−フェノキシアセトフェノン、プロピレンカーボネート中に５０％混合されたトリアリールスルホニウムヘキサフルオロリン酸塩類、及びこれらの混合物からなる群から選択してよい。
【００４３】
光開始剤の非限定的な例としては、Ｉｒｇａｃｕｒｅ（登録商標）１４９，Ｉｒｇａｃｕｒｅ（登録商標）１８４、Ｉｒｇａｃｕｒｅ（登録商標）３６９、Ｉｒｇａｃｕｒｅ（登録商標）５００、Ｉｒｇａｃｕｒｅ（登録商標）６５１、Ｉｒｇａｃｕｒｅ（登録商標）７８４、Ｉｒｇａｃｕｒｅ（登録商標）８１９、Ｉｒｇａｃｕｒｅ（登録商標）９０７、Ｉｒｇａｃｕｒｅ（登録商標）１７００、Ｉｒｇａｃｕｒｅ（登録商標）１８００、Ｉｒｇａｃｕｒｅ（登録商標）１８５０、Ｉｒｇａｃｕｒｅ（登録商標）２９５９、Ｄａｒｏｃｕｒ（登録商標）１１７３及びＤａｒｏｃｕｒ（登録商標）４２６５（Ｃｉｂａ  Ｓｐｅｃｉａｌｔｙ  Ｃｈｅｍｉｃａｌｓ製）；ベンゾフェノン、Ｅｓａｃｕｒｅ  １００
Ｆ、Ｅｓａｃｕｒｅ  １００１  Ｍ、Ｅｓａｃｕｒｅ  １０６４、Ｅｓａｃｕｒｅ  １１８７、Ｅ  Ａ  １９８、Ｅｓａｃｕｒｅ  ＤＰ  ２５０、Ｅｓａｃｕｒｅ  ＥＤＢ、Ｅｓａｃｕｒｅ  ＨＢ、Ｅｓａｃｕｒｅ  ＩＴＸ、Ｅｓａｃｕｒｅ  ＫＢ  １、Ｅｓａｃｕｒｅ  ＫＩＰ  １５０、Ｅｓａｃｕｒｅ  ＫＩＰ  １６０、Ｅｓａｃｕｒｅ  ＫＩＰ  ＩＴ、Ｅｓａｃｕｒｅ  ＫＬ  ２００、Ｅｓａｃｕｒｅ  ＫＳ  ３００、Ｅｓａｃｕｒｅ  ＫＴ  ５５、Ｅｓａｃｕｒｅ  ＫＴＯ  ４６、Ｅｓａｃｕｒｅ  ＯＮＥ、Ｅｓａｃｕｒｅ
ＴＰＯ、Ｅｓａｃｕｒｅ  ＴＺＭ、及び２，２−ジメトキシ−２−フェニルアセトフェノン（Ｓｉｇｍａ  Ａｌｄｒｉｃｈ製）並びにれらの混合物が挙げられる。
【００４４】
１つの態様では、上記アクリレート誘導体であるフィルム形成ポリマーは、以下のポリマー１であってよく、該ポリマー１は、約５，０００Ｄａ〜約５００，０００Ｄａ、約１０，０００Ｄａ〜約３００，０００Ｄａ、又は更には約２０，０００Ｄａ〜約２４０，０００Ｄａの重量平均分子量を有する。
【００４５】
【化２】
2018039002.tif 000005
（式中、
各ｎは、独立して、０〜４，０００の整数であり、
ポリマー１における全ての整数ｎの合計は、約６０〜約７，０００の整数であり、
ポリマー１中の各Ｒ１及び各Ｒ’は、独立して、以下からなる群から選択され：
【００４６】
【化３】
2018039002.tif 000006
式中、各ｃは、独立して、０〜６０の整数であり、各Ｒ２は、独立して、以下からなる群から選択され：
【００４７】
【化４】
2018039002.tif 000007
式中、各ｘは、独立して、０〜６０の整数である。）
【００４８】
１つの態様では、
ａ）各Ｒ’は、独立して、以下からなる群から選択され、
【００４９】
【化５】
2018039002.tif 000008
ｂ）各Ｒ１は、独立して、以下からなる群から選択される。
【００５０】
【化６】
2018039002.tif 000009
（式中、ｘは、０〜４０の整数である。）
【００５１】
１つの態様では、該アクリレート誘導体であるポリマーは、ポリ（メチルメタクリレート）、ポリ（アルキルメタクリレート）、ポリ（メチルメタクリレート−コ−ブチルメタクリレート、ポリ（ｔ−ブチルアクリレート−コ−エチルアクリレート−コ−メタクリル酸）、Ｃ１２〜Ｃ２２アルキルメタクリレートコポリマー、ポリ（メタクリル酸−コ−エチルアクリレート）、アミノアクリレート、アクリレートオクチルアクリルアミドブチルアミノエチルメタクリレートコポリマー及びこれらの混合物からなる群から選択してよい。
【００５２】
シェル材料の非限定的な例としては、Ｓｔｒｕｃｔｕｒｅ  ＰＬＵＳ、Ｓｔｒｕｃｔｕｒｅ  ２００１、Ｄｅｒｍａｃｒｙｌ  Ｃ、Ａｍｐｈｏｍｅｒ（登録商標）ＨＣ、及びＡｍｐｈｏｍｅｒ（登録商標）（Ａｋｚｏ  Ｎｏｂｅｌ製）；Ｃｒｉｌａｔ（登録商標）４８３０及びＣｒｉｌａｔ（登録商標）Ｄ１２０５（Ｖｉｎａｖｉｌ  Ｓ．ｐ．Ａ．（Ｉｔａｌｙ）製）；ＡＬＬＩＡＮＺ（商標）ＣＡＭ（ＩＳＰ  Ｃｈｅｍｉｃａｌｓ製）；Ｌｕｖｉｍｅｒ  １００Ｐ（ＢＡＳＦ（Ｇｅｒｍａｎｙ）製）；Ａｃｒｙｌ−ＥＺＥ（Ｃｏｌｏｒｃｏｎ（Ｕ．Ｓ．Ａ．）製）；及びこれらの混合物が挙げられる。
【００５３】
１つの態様では、該コア及び／又は該シェルは、粘度調整剤を含んでよい。
【００５４】
１つの態様では、該粘度調整剤は、１００ｃＰｓ未満、又は８０ｃＰｓ未満、又は更には６０ｃＰｓ未満の粘度を有する、水溶性溶媒、水不溶性溶媒、シリコーン、香料原材料、及び／又はこれらの混合物を含んでよい。
【００５５】
幾つかの有益剤及び／又はシェル材料溶液は、溶解又は分散後に高い粘度純度を有し得るので、粘度調整剤としての特定の添加剤を加工助剤としてコア及び／又はシェルに添加して、このような有益剤及び／又はシェル材料のノズルを通じた流動を促進することができる。このような粘度調整剤は、水溶性溶媒、水不溶性溶媒、香料原材料、シリコーン、及び／又はこれらの混合物を含んでよい。非限定的な例としては、エタノール、プロパノール、イソプロパノール、ｎ−プロパノール、ｎ−ブタノール、ｔ−ブタノール、プロピレングリコール、１，３−プロパンジオール、エチレングリコール、ジエチレングリコール、ジプロピレングリコール、１，２，３−プロパントリオール、プロピレンカーボネート、フェニルエチルアルコール、２−メチル−１，３−プロパンジオール、ヘキシレングリコール、グリセロール、ソルビトール、ポリエチレングリコール、１，２−ヘキサンジオール、１，２−ペンタンジオール、１，２−ブタンジオール、１，４ブタンジオール、１，４−シクロヘキサンジメタノール、ピナコール、１，５−ヘキサンジオール、１，６−ヘキサンジオール、２，４−ジメチル−２，４−ペンタンジオール、２，２，４−トリメチル−１，３−ペンタンジオール（及びエトキシレート）、２−エチル−１，３−ヘキサンジオール、フェノキシエタノール（及びエトキシレート）、グリコールエーテル（例えば、ブチルカルビトール及びジプロピレングリコール−ｎ−ブチルエーテル）、エステル溶媒（例えば、アジピン酸、グルタル酸、及びコハク酸のジメチルエステル）、炭化水素（例えば、デカン及びドデカン、デカメチルシクロペンタシロキサン、シクロヘキサシロキサン、エチル−２−メチルブタノエート、エチル−２−メチルブチレート、ミリスチン酸イソプロピル、エチル−２−メチルペンタノエート、酢酸ヘキシル、カプロン酸アリル）、及びこれらの混合物が挙げられる。
【００５６】
１つの態様では、本明細書に開示する封入有益剤の集合体及び補助成分を含む製品を開示する。
【００５７】
１つの態様では、任意で部位を洗浄、すすぎ、及び／又は乾燥させ、該部位を該製品と接触させ、次いで、任意で該部位を洗浄、すすぎ、及び／又は乾燥させることを含む、上記製品を使用する方法を開示する。
【００５８】
１つの態様では、このような製品で処理される部位を開示する。
【００５９】
消費者製品の製造方法
封入有益剤及び補助材料を含む消費者製品を作製する上記方法の１つの態様では、該方法は、同心フローフォーカシング（登録商標）ノズルを用いることによって、約２５℃〜約１６０℃の温度で、チャンバ内にコア組成物及びシェル溶液を噴霧することによって、封入体を作製することを含み得る。１つの態様では、該同心フローフォーカシングノズルは、約１００マイクロメートル〜約５００マイクロメートル、又は更には約２５０マイクロメートル〜約４００マイクロメートルの内径を有してよい。１つの態様では、該同心ノズルは、約２００マイクロメートル〜約１，０００マイクロメートル、約３５０マイクロメートル〜約８５０マイクロメートル、又は更には約５００マイクロメートル〜約７５０マイクロメートルの外径を有してよい。１つの態様では、上記封入有益剤は、該封入有益剤を更に加工することなく、製品中でそのまま用いられる。１つの態様では、上記封入有益剤は、それを消費者製品に添加する前に、予め凝集又は液体に分散させておいてもよい。
【００６０】
封入有益剤及び補助材料を含む消費者製品を作製する上記方法の１つの態様では、該方法は、同心フローフォーカシング（登録商標）ノズルを用いることによってエマルションを作製し、次いで、コア−シェル封入有益剤が生成されるように、該エマルションのシェル材料を反応させて共有結合を形成することによってエマルションを作製することを含んでよい。１つの態様では、シェル材料を架橋する。１つの態様では、上記同心フローフォーカシングノズルは、約１００マイクロメートル〜約５００マイクロメートル、又は更には約２５０マイクロメートル〜約４００マイクロメートルの内径を有してよい。１つの態様では、該同心ノズルは、約２００マイクロメートル〜約１，０００マイクロメートル、約３５０マイクロメートル〜約８５０マイクロメートル、又は更には約５００マイクロメートル〜約７５０マイクロメートルの外径を有してよい。１つの態様では、上記封入有益剤は、該封入有益剤を更に加工することなく、製品中でそのまま用いられる。１つの態様では、該封入有益剤は、予め凝集させておいてもよい。
【００６１】
１つの態様では、上記封入有益剤のコア部分を作製するために用いられる材料は、約０．５ｃＰｓ〜約２００ｃＰｓ、約１ｃＰｓ〜約１００ｃＰｓ、又は更には約３ｃＰｓ〜約８０ｃＰｓの粘度を有し得る。
【００６２】
１つの態様では、上記シェルは、可塑剤を含んでよい。好適な可塑剤は、糖、糖アルコール、又はポリエチレングリコール（ＰＥＧ）等のポリオール、尿素、グリコール、ポリプロピレングリコール、又は他の公知の可塑剤、例えば、クエン酸トリエチル、フタル酸ジブチル又はジメチル、ポリエチレングリセリン、ソルビトール、クエン酸トリブチル、セバシン酸ジブチル、ポリソルベート、及びこれらの混合物を含んでよい。
【００６３】
１つの態様では、封入有益剤の凝集プロセスのために、封入有益剤のシェルと相溶性である結合剤を用いてよい。理論に縛られるものではないが、結合剤は、必要な機械的強度を有する粒子を形成することができ、粒子が不所望の相互作用を避ける特定の保護を提供することができ、また、粒子が洗浄サイクル中に活性物質の送達を補助することができるのを保証するために用いてよい。好適な結合剤の非限定的な例としては、糖類及びその誘導体、二糖類（例えば、スクロース、ラクトース）、多糖類及びその誘導体：デンプン、セルロース、又は変性セルロース（例えば、微結晶性セルロース及びセルロースエーテル、例えば、ヒドロキシプロピルセルロース（ＨＰＣ））；糖アルコール（例えば、キシリトール、ソルビトール、又はマルチトール）；タンパク質（例えば、ゼラチン）；合成ポリマー；ポリビニルピロリドン（ＰＶＰ）、特に、分子量が９０，０００ＤａのＰＶＰ、ポリエチレングリコール（ＰＥＧ）、特に、分子量が４，０００Ｄａ、６，０００Ｄａ、及び９，０００Ｄａのもの、並びにポリ（ビニルアルコール）（ＰＶＯＨ）、脂肪酸、脂肪族アルコール、脂肪族エステル及びワックス由来の不透水性材料、又はこれらの混合物を挙げることができる。１つの態様では、結合剤は、液体形態で適用される。
【００６４】
該封入有益剤を分散させるのに好適な分散剤は、非イオン性界面活性剤、アニオン性界面活性剤、カチオン性界面活性剤、両性界面活性剤、双性界面活性剤、半極性非イオン性界面活性剤、及びこれらの混合物からなる群から選択される界面活性剤を含んでよい。
【００６５】
添加剤成分
本発明の目的のために、以下に例示される補助剤の非限定的な一覧は、本組成物で使用するのに好適であり、例えば、性能を補助若しくは強化するため、洗浄される基材の処理のため、又は香料、着色剤、染料等を用いる場合のように組成物の審美性を改変するために、望ましくは本発明の特定の実施形態に組み込むことができる。このような補助剤は、更に、列挙された粒子により供給されることが理解される。このような追加成分の正確な性質及びそれを組み込む濃度は、組成物の物理的形態及び使用される作業の性質に依存する。好適な補助剤物質としては、界面活性剤、ビルダー、キレート剤、移染防止剤、分散剤、酵素、及び酵素安定剤、触媒物質、漂白活性化剤、高分子分散剤、粘土汚れ除去／再付着防止剤、増白剤、泡抑制剤、染料、追加の香料及び香料送達系、構造弾性化剤、布地柔軟化剤、担体、ヒドロトロープ、加工助剤、及び／又は顔料が挙げられるが、これらに限定されない。下記開示に加えて、このような他の補助剤の好適な例及び使用濃度は、米国特許第５，５７６，２８２号、同第６，３０６，８１２  Ｂ１号及び同第６，３２６，３４８  Ｂ１号に見られ、これらは参照により組み込まれる。
【００６６】
各補助成分は、本出願人らの組成物にとって必須ではない。したがって、本出願人らの組成物の特定の実施形態は、以下の補助材料のうちの１つ又は２つ以上を含有しない：漂白活性化剤、界面活性剤、ビルダー、キレート剤、移染防止剤、分散剤、酵素及び酵素安定剤、触媒金属錯体、高分子分散剤、粘土及び汚れ除去／再付着防止剤、増白剤、泡抑制剤、染料、追加の香料及び香料送達系、構造弾性化剤、布地柔軟化剤、担体、ヒドロトロープ、加工助剤、及び／又は顔料。このような補助剤は、本明細書に開示される封入体と組み合わせられる製品マトリクスを形成して、完成消費者製品を形成し得ることが理解される。一般的に、１つ又は２つ以上の補助剤が存在する場合、このような１つ又は２つ以上の補助剤は、以下に詳細に記載する通り存在してよい。
界面活性剤−本発明に係る組成物は、界面活性剤又は界面活性剤系を含んでよく、該界面活性剤は、非イオン性及び／若しくはアニオン性及び／若しくはカチオン性界面活性剤、並びに／又は両性及び／若しくは双性及び／若しくは半極性非イオン性界面活性剤から選択できる。界面活性剤は、典型的に、洗浄組成物の約０．１重量％から、約１重量％から、又は更には約５重量％から、洗浄組成物の約９９．９重量％まで、約８０重量％まで、約３５重量％まで、又は更には約３０重量％までの濃度で存在する。
【００６７】
構造化剤−好適な構造化剤の非限定的な例は、以下の通りである。
ｉ．ジベンジリデンポリオールアセタール誘導体
流体洗剤組成物は、約０．０１重量％〜約１重量％、又は約０．０５重量％〜約０．８重量％、又は約０．１重量％〜約０．６重量％、又は更には約０．３重量％〜約０．５重量％のジベンジリデンポリオールアセタール誘導体（ＤＢＰＡ）を含んでよい。好適なＤＢＰＡ分子の非限定的な例は、米国特許出願第６１／１６７６０４号に開示されている。
１つの態様では、ＤＢＰＡ誘導体は、ジベンジリデンソルビトールアセタール誘導体（ＤＢＳ）を含んでよい。該ＤＢＳ誘導体は、以下からなる群から選択してよい：１，３：２，４−ジベンジリデンソルビトール；１，３：２，４−ジ（ｐ−メチルベンジリデン）ソルビトール；１，３：２，４−ジ（ｐ−クロロベンジリデン）ソルビトール；１，３：２，４−ジ（２，４−ジメチルジベンジリデン）ソルビトール；１，３：２，４−ジ（ｐ−エチルベンジリデン）ソルビトール；及び１，３：２，４−ジ（３，４−ジメチルジベンジリデン）ソルビトール、又はこれらの混合物。これら及び他の好適なＤＢＳ誘導体は、米国特許第６，１０２，９９９号のコラム２の４３行目からコラム３の６５行目に開示されている。
【００６８】
ｉｉ．細菌セルロース
また、流体洗剤組成物は、約０．００５重量％〜約１重量％の細菌セルロース網状構造を含んでよい。用語「細菌セルロース」は、ＣＰＫｅｌｃｏ  Ｕ．Ｓ．によるＣＥＬＬＵＬＯＮ（登録商標）等のアセトバクター（Acetobacter）属の細菌の発酵を介して生成される任意の種類のセルロースを含み、ミクロフィブリル化セルロース、網状細菌セルロース等と一般に称される材料を含む。好適な細菌セルロースの幾つかの例は、米国特許第６，９６７，０２７号；同第５，２０７，８２６号；同第４，４８７，６３４号；同第４，３７３，７０２号；同第４，８６３，５６５号；及び米国特許出願公開第２００７／００２７１０８号に見出すことができる。１つの態様では、該繊維は、１．６ｎｍ〜３．２ｎｍ×５．８ｎｍ〜１３３ｎｍの断面寸法を有する。更に、細菌セルロース繊維は、少なくとも約１００ｎｍ、又は約１００〜約１，５００ｎｍの平均ミクロ繊維長さを有する。１つの態様では、細菌セルロースミクロ繊維は、約１００：１〜約４００：１、又は更には約２００：１〜約３００：１のアスペクト比、すなわち、平均ミクロ繊維の長さをミクロ繊維の最大断面幅で除したものを有する。
【００６９】
ｉｉｉ．コーティングされた細菌セルロース
１つの態様では、細菌セルロースは、高分子増粘剤で少なくとも部分的にコーティングされる。少なくとも部分的にコーティングされた細菌セルロースは、米国特許出願公開第２００７／００２７１０８号の段落８〜１９に開示されている方法に従って調製することができる。１つの態様では、少なくとも部分的にコーティングされた細菌セルロースは、約０．１重量％〜約５重量％、又は更には約０．５重量％〜約３重量％の細菌セルロースと、約１０重量％〜約９０重量％の高分子増粘剤とを含む。好適な細菌セルロースとしては、上記細菌セルロースを挙げることができ、好適な高分子増粘剤としては、カルボキシメチルセルロース、カチオン性ヒドロキシメチルセルロース、及びこれらの混合物が挙げられる。
【００７０】
ｉｖ．非高分子結晶質ヒドロキシル官能性物質
１つの態様では、組成物は、組成物の約０．０１〜約１重量％の非高分子結晶質ヒドロキシル官能性構造化剤を更に含んでよい。該非高分子結晶質ヒドロキシル官能性構造化剤は、一般的に、最終流体洗剤組成物への分散を補助するために予め乳化が可能な結晶性グリセリドを含んでよい。１つの態様では、結晶化性グリセリドとしては、液体洗剤組成物において結晶化させることができる限り、硬化ヒマシ油つまり「ＨＣＯ」又はその誘導体を挙げることができる。
【００７１】
ｖ．高分子構造化剤
本発明の流体洗剤組成物は、約０．０１重量％〜約５重量％の天然由来及び／又は合成の高分子構造化剤を含んでよい。本発明で使用する天然由来の高分子構造化剤の例としては、ヒドロキシエチルセルロース、疎水変性ヒドロキシエチルセルロース、カルボキシメチルセルロース、多糖誘導体、及びこれらの混合物が挙げられる。好適な多糖誘導体としては、ペクチン、アルギン酸塩、アラビノガラクタン（アラビアゴム）、カラギーナン、ジェランガム、キサンタンガム、グアーガム及びこれらの混合物が挙げられる。本発明で使用する合成高分子構造化剤の例としては、ポリカルボキシレート、ポリアクリレート、疎水変性エトキシ化ウレタン、疎水変性非イオン性ポリオール、及びこれらの混合物が挙げられる。１つの態様では、該ポリカルボキシレートポリマーは、ポリアクリレート、ポリメタクリレート、又はこれらの混合物である。別の態様では、ポリアクリレートは、不飽和モノ−又はジ−炭酸と、（メタ）アクリル酸のＣ１〜Ｃ３０アルキルエステルとのコポリマーである。該コポリマーは、商標名Ｃａｒｂｏｐｏｌ  Ａｑｕａ  ３０としてＮｏｖｅｏｎ  Ｉｎｃから入手可能である。
【００７２】
ｖｉ．ジアミドゲル化剤
１つの態様では、外部構造化系は、約１５０ｇ／モル〜約１５００ｇ／モル、又は更には約５００ｇ／モル〜約９００ｇ／モルの分子量を有するジアミドゲル化剤を含んでよい。このようなジアミドゲル化剤は、少なくとも２個の窒素原子を含んでよく、該窒素原子のうちの少なくとも２個は、アミド官能性置換基を形成する。１つの態様では、アミド基は異なっている。別の態様では、アミド官能性基は同じである。ジアミドゲル化剤は、以下の式を有する。
【００７３】
【化７】
2018039002.tif 000010
（式中、
Ｒ１及びＲ２は、アミノ官能性末端基、又は更にはアミド官能性末端基であり、１つの態様では、Ｒ１及びＲ２は、ｐＨ調整可能基を含んでよく、ｐＨ調整可能なアミドゲル化剤は、約１〜約３０、又は更には約２〜約１０のｐＫａを有し得る。）１つの態様では、ｐＨ調整可能基は、ピリジンを含んでよい。１つの態様では、Ｒ１とＲ２とは異なっていてよい。別の態様では、同じであってもよい。
【００７４】
Ｌは、１４〜５００ｇ／モルの分子量の連結部分である。１つの態様では、Ｌは、２〜２０個の炭素原子を含む炭素鎖を含んでよい。別の態様では、Ｌは、ｐＨ調整可能基を含んでよい。１つの態様では、ｐＨ調整可能基は、二級アミンである。
【００７５】
１つの態様では、Ｒ１、Ｒ２又はＬのうちの少なくとも１つは、ｐＨ調整可能基を含み得る。
【００７６】
ジアミドゲル化剤の非限定的な例は、次の通りである。
Ｎ，Ｎ’−（２Ｓ，２’Ｓ）−１，１’−（ドデカン−１，１２−ジイルビス（アザンジイル））ビス（３−メチル−１−オキソブタン−２，１−ジイル）ジイソニコチンアミド
【００７７】
【化８】
2018039002.tif 000011
ジベンジル（２Ｓ，２’Ｓ）−１，１’−（プロパン−１，３−ジイルビス（アザンジイル））ビス（３−メチル−１−オキソブタン−２，１−ジイル）ジカルバメート
【００７８】
【化９】
2018039002.tif 000012
ジベンジル（２Ｓ，２’Ｓ）−１，１’−（ドデカン−１，１２−ジイルビス（アザンジイル））ビス（１−オキソ−３−フェニルプロパン−２，１−ジイル）ジカルバメート
【００７９】
【化１０】
2018039002.tif 000013
【００８０】
ビルダー−本発明の組成物は、１つ又は２つ以上の洗剤ビルダー又はビルダー系を含んでよい。存在する場合、本組成物は、典型的に、少なくとも約１重量％のビルダー、又は約５重量％若しくは１０重量％〜約８０重量％、５０重量％、若しくは更には３０重量％の該ビルダーを含む。ビルダーとしては、ポリホスフェートのアルカリ金属、アンモニウム及びアルカノールアンモニウム塩、アルカリ金属ケイ酸塩、アルカリ土類及びアルカリ金属炭酸塩、アルミノシリケートビルダー、ポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸、及びカルボキシメチル−オキシコハク酸、ポリ酢酸の様々なアルカリ金属、アンモニウム及び置換アンモニウム塩（例えば、エチレンジアミン四酢酸及びニトリロ三酢酸）、並びにポリカルボキシレート（例えば、メリト酸、コハク酸、オキシジコハク酸、ポリマレイン酸、ベンゼン１，３，５−トリカルボン酸、カルボキシメチルオキシコハク酸、及びこれらの可溶性塩）が挙げられるが、これらに限定されない。
【００８１】
キレート剤−また、本明細書の組成物は、任意で、１つ又は２つ以上の銅、鉄、及び／又はマンガンキレート剤を含有してよい。利用される場合、キレート剤は、一般的に、本明細書の組成物の約０．１重量％〜約１５重量％、又は更には本明細書の組成物の約３重量％〜約１５重量％を構成する。
【００８２】
移染防止剤−また、本発明の組成物は、１つ又は２つ以上の移染防止剤を含んでよい。
好適な高分子移染防止剤としては、ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール又はこれらの混合物が挙げられるが、これらに限定されない。本明細書における組成物中に存在する場合、移染防止剤は、洗浄組成物の約０．０００１重量％から、約０．０１重量％から、約０．０５重量％から、洗浄組成物の約１０重量％まで、約２重量％まで、又は更には約１重量％までの濃度で存在する。
【００８３】
分散剤−また、本発明の組成物は、分散剤を含有してよい。好適な水溶性有機材料は、ホモポリマー若しくはコポリマーの酸又はこれらの塩であり、そのうち、ポリカルボン酸は、互いに炭素原子２個以下しか離れていない少なくとも２個のカルボキシルラジカルを含んでよい。
【００８４】
香料送達系（ＰＤＴ）−本発明の組成物は、別の必須成分として香料技術系を含む。好適な香料送達系、特定の香料送達系の製造方法、及びかかる香料送達系の使用が、米国特許出願第２００７／０２７５８６６  Ａ１号に開示されている。このような香料送達系としては、以下が挙げられる。
Ｉ．ポリマー支援型送達（ＰＡＤ）：この香料送達技術は、香料物質を送達するためにポリマー物質を使用する。古典的なコアセルベーション、水溶性又は部分水溶性〜水不溶性の荷電又は中性ポリマー、液晶、ホットメルト、ヒドロゲル、香料付与プラスチック、マイクロカプセル、ナノ−及びマイクロラテックス、ポリマー性フィルム形成剤、及びポリマー吸収剤、ポリマー吸着剤等が幾つかの例である。ＰＡＤとしては、限定されるものではないが、以下が挙げられる。
ａ）マトリクス系：芳香剤をポリマーマトリックス又は粒子に溶解又は分散させる。
例えば、香料は、１）製品に配合する前にポリマー中に分散させるか、又は２）製品の配合中又は配合後にポリマーとは別に添加してよい。好適な有機ラテックス粒子としては、限定するものではないが、ポリアセタール、ポリアクリレート、ポリアミド、ポリブタジエン、ポリクロロプレン、ポリエチレン、ポリシクロヘキシレンポリカーボネート、ポリヒドロキシアルカノエート、ポリケトン、ポリエステル、ポリエーテルイミド、ポリエーテルスルホン、ポリエチレンクロリネート、ポリイミド、ポリイソプレン、ポリ乳酸、ポリフェニレン、ポリフェニレン、ポリプロピレン、ポリスチレン、ポリスルホン、ポリ酢酸ビニル、ポリ塩化ビニル、並びにアクリロニトリル−ブタジエン、酢酸セルロース、エチレン−酢酸ビニル、エチレンビニルアルコール、スチレン−ブタジエン、酢酸ビニル−エチレン、及びこれらの混合物に基づくポリマー又はコポリマーを含む広範な材料が挙げられる。例えば多糖類及びナノラテックスを含んでよいこのようなマトリクス系は全て、香料マイクロカプセル（ＰＭＣ）の形態でＰＡＤリザーバ系等の他のＰＡＤ系を含む他のＰＤＴと組み合わせてよい。シリコーン支援型送達（ＳＡＤ）を用いてもよい。シリコーンの例としては、ポリジメチルシロキサン及びポリアルキルジメチルシロキサンが挙げられる。他の実施例としては、アミン官能性を有するものが挙げられ、これを用いてアミン支援型送達（ＡＡＤ）、及び／又はポリマー支援型送達（ＰＡＤ）、及び／又はアミン反応生成物（ＡＲＰ）に関連する効果を提供することができる。
ｂ）リザーバ系（ＲＳ）：リザーバ系は、コア／シェル型技術、すなわち、芳香剤が保護シェルとして機能し得る香料放出制御膜によって取り囲まれているものとしても知られている。
ＩＩ．分子支援型送達（ＭＡＤ）：また、香料は、有機物質と非共有結合的に相互作用して、付着及び／又は放出を変化させることができるので、非ポリマー物質又は分子も香料の送達を改善する機能を有し得る。このような有機物質の非限定的な例としては、有機油、ワックス、鉱油、ペトロラタム、脂肪酸又はエステル等の疎水性物質、糖類、界面活性剤、リポソーム、及び更には他の香料原材料（香油）、並びに身体及び／又は他の汚れを含む天然油が挙げられるが、これらに限定されない。
ＩＩＩ．繊維支援型送達（ＦＡＤ）：部位自体の選択又は使用が、香料の送達を改善させる機能を有し得る。実際、部位自体が、香料送達技術であり得る。例えば、綿又はポリエステル等の異なる種類の布地は、香料をひき付ける及び／又は保持する及び／又は放出する能力に関して異なる性質を有する。繊維の表面又は内部に蓄積される香料の量は、繊維の選択によって、また、繊維の履歴又は処理によって、及びあらゆる繊維コーティング又は処理によって変化し得る。繊維は、香料を予備充填した後、遊離香料及び／又は１つ若しくは２つ以上の香料送達技術を含んでいてもよく、含んでいていなくてもよい製品に添加してよい。
ＩＶ．アミン支援型送達（ＡＡＤ）：アミン支援型送達技術のアプローチでは、香料の蓄積量を増加させるか又は製品の使用中の香料放出を変化させるためにアミン基を含有する物質を利用する。このアプローチでは、製品に添加する前に香料原材料とアミンとを予め錯体化させる必要も予め反応させる必要もない。１つの態様では、本明細書で使用するのに好適なアミン含有ＡＡＤ材料は、非芳香族、例えば、ポリアルキルイミン（例えば、ポリエチレンイミン（ＰＥＩ））若しくはポリビニルアミン（ＰＶＡｍ）であってもよく、芳香族（例えば、アントラニレート）であってもよい。このような材料は、ポリマーであってもよく、非ポリマーであってもよい。１つの態様では、このような材料は、少なくとも１つの一級アミンを含有する。別の態様では、例えば、硫黄、リン、又はセレン等の窒素以外のヘテロ原子を含有する物質をアミン化合物の代わりに使用することができる。
更に別の態様では、前述の代替化合物をアミン化合物と併用してよい。更なる別の態様では、１つの分子が、アミン部分と、代替ヘテロ原子部分（例えば、チオール、ホスフィン、及びセレノール）のうちの１つ又は２つ以上とを含有していてよい。
Ｖ．シクロデキストリン送達系（ＣＤ）：この技術のアプローチでは、香料の送達を改善するために環状オリゴ糖又はシクロデキストリンを用いる。典型的には、香料とシクロデキストリン（ＣＤ）との複合体を形成する。このような複合体は、予め形成してよく、その場で形成してよく、部位の表面上又は内部で形成してもよい。
ＶＩ．デンプン封入アコード（ＳＥＡ）：ＳＥＡは、デンプン封入香料材料である。好適なデンプンとしては、加水分解デンプン、酸希釈デンプン、疎水性基を有するデンプン、例えば、長鎖炭化水素（Ｃ５以上）のデンプンエステル、酢酸デンプン、オクテニルコハク酸デンプン、及びこれらの混合物等の加工デンプンが挙げられる。１つの態様では、オクテニルコハク酸デンプン等のデンプンエステルを使用する。封入に好適な香料としては、通常の標準圧力である約０．１０ＭＰａ（約７６０ｍｍＨｇ）で測定される２７５℃以下の沸点、約２，０００以上のオクタノール／水分配係数Ｐ、５０十億分率（ｐｐｂ）以下の臭気検知閾値を有するものを含むＨＩＡ香料が挙げられる。１つの態様では、香料は、２以上のｌｏｇＰを有してよい。
ＶＩＩ．無機担体送達系（ＺＩＣ）：この技術は、香料を送達するために多孔質ゼオライト又は他の無機物質を使用することに関する。香料充填ゼオライトを、例えば、香料充填ゼオライト（ＰＬＺ）をコーティングするために用いられる補助成分と共に又は該補助成分なしで使用して、製品の保存中の又は使用中の又は乾燥部位からの香料放出特性を変化させることができる。好適な無機担体の別の例としては、香料又は他の活性物質がナノ又はマイクロ細管の内腔内に収容されている無機細管が挙げられる。デンプン封入体を含むモノマー及び／又はポリマー材料を用いて、ＰＬＺをコーティング、プラギング、キャッピング、ないしは別の方法で封入することができる。
ＶＩＩＩ．プロ香料（ＰＰ）：この技術は、１つ又は２つ以上のＰＲＭと１つ又は２つ以上の担体との間に共有結合を有する物質を形成するために香料材料と他の基材又は化学物質とを反応させることから得られる香料技術を指す。ＰＲＭは、プロＰＲＭ（すなわち、プロ香料）と呼ばれる新たな物質に変換され、プロＰＲＭは、次いで、水又は光等のトリガに曝露した際に元のＰＲＭを放出し得る。プロ香料の非限定的な例としては、マイケル付加物（例えば、β−アミノケトン）、芳香族又は非芳香族イミン（シッフ塩基）、オキサゾリジン、β−ケトエステル、及びオルトエステルが挙げられる。別の態様としては、例えばα、β−不飽和ケトン、アルデヒド又はカルボン酸エステル等の、ＰＲＭを放出可能な１つ又は２つ以上のβ−オキシ−又はβ−チオ−カルボニル部分を含む化合物が含まれる。
ａ）アミン反応性生物（ＡＲＰ）：本出願の目的のために、ＡＲＰは、ＰＰのサブクラス又は種である。アミン官能基が、１つ又は２つ以上のＰＲＭ、典型的にはケトン部分及び／又はアルデヒド部分を含有するＰＲＭと予め反応してアミン反応生成物（ＡＲＰ）を形成する「反応性」高分子アミンを使用してもよい。典型的には、反応性アミンは、一級及び／又は二級アミンであり、ポリマーの一部でってもモノマー（非ポリマー）であってもよい。また、このようなＡＲＰは、更なるＰＲＭと混合されてポリマー支援型送達効果及び／又はアミン支援型送達効果を提供することもできる。ポリマーアミンの非限定的な例としては、ポリエチレンイミン（ＰＥＩ）等のポリアルキルイミン、又はポリビニルアミン（ＰＶＡｍ）に基づくポリマーが挙げられる。モノマー（非ポリマー）アミンの非限定的な例としては、ヒドロキシルアミン（例えば、２−アミノエタノール）及びそのアルキル置換誘導体、並びに芳香族アミン（例えば、アントラニレート）が挙げられる。ＡＲＰは、香料と予め混合しておいてもよく、リーブオン用途又はリンスオフ用途では別個に添加してもよい。別の態様では、例えば、酸素、硫黄、リン又はセレン等の窒素以外のヘテロ原子を含有する物質をアミン化合物の代わりに使用することができる。更に別の態様では、前述の代替化合物をアミン化合物と併用してもよい。更なる別の態様では、１つの分子が、アミン部分と、代替ヘテロ原子部分（例えば、チオール、ホスフィン、及びセレノール）のうちの１つ又は２つ以上とを含有していてよい。
【００８５】
酵素−組成物は、洗浄性能及び／又は布地ケア効果を提供する１つ又は２つ以上の洗浄性酵素を含んでよい。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限定されない。典型的な組み合わせは、プロテアーゼ、リパーゼ、クチナーゼ及び／又はセルラーゼ等の従来適用可能な酵素をアミラーゼと組み合わせたカクテルである。
【００８６】
酵素安定剤−組成物、例えば洗剤において使用するための酵素は、様々な技術によって安定化させすることができる。本明細書において用いられる酵素は、カルシウムイオン及び／又はマグネシウムイオンを酵素に供給する、このようなイオンの水溶性供給源を最終組成物中に存在させることによって安定化させることができる。
【００８７】
触媒金属錯体−本出願人らの組成物は、触媒金属錯体を含んでよい。金属含有漂白触媒の１つの種類は、銅、鉄、チタン、ルテニウム、タングステン、モリブデン、又はマンガンのカチオン等の規定の漂白触媒活性の遷移金属カチオン、亜鉛又はアルミニウムのカチオン等の漂白触媒活性を殆ど又は全く有しない補助金属カチオン、並びに触媒金属及び補助金属のカチオンに対して規定の安定性定数を有する金属イオン封鎖剤（sequestrate）、特にエチレンジアミン四酢酸、エチレンジアミンテトラ（メチレンホスホン酸）及びこれらの水溶性塩を含む触媒系である。このような触媒は、米国特許第４，４３０，２４３号に開示されている。
【００８８】
必要に応じて、本明細書における組成物は、マンガン化合物により触媒され得る。このような化合物及び使用濃度は、当技術分野にて周知であり、例えば、米国特許第５，５７６，２８２号に開示されているマンガン系触媒が挙げられる。
【００８９】
本明細書において有用なコバルト漂白触媒は公知であり、例えば、米国特許第５，５９７，９３６号及び第５，５９５，９６７号に記載されている。このようなコバルト触媒は、例えば、米国特許第５，５９７，９３６号及び同第５，５９５，９６７号において教示されているような公知の手順によって容易に調製される。
【００９０】
また、本明細書における組成物は、「ＭＲＬ」と略される大多環式剛性配位子の遷移金属錯体を好適に含むこともできる。実際には、限定するものではないが、本明細書における組成物及び洗浄方法は、水性洗浄媒体中において少なくとも約１億分率（part per hundred million）の有益剤ＭＲＬ種を提供するように調整することができ、約０．００５ｐｐｍ〜約２５ｐｐｍ、約０．０５ｐｐｍ〜約１０ｐｐｍ、又は更には約０．１ｐｐｍ〜約５ｐｐｍのＭＲＬを洗浄溶液中に提供することができる。
【００９１】
本発明の遷移金属漂白剤触媒中の好適な遷移金属としては、マンガン、鉄、及びクロムが挙げられる。本明細書における好適なＭＲＬは、架橋している特定の種類の超剛性配位子、例えば、５，１２−ジエチル−１，５，８，１２−テトラアザビシクロ［６．６．２］ヘキサデカンである。
【００９２】
好適な遷移金属ＭＲＬは、例えば、国際公開第００／３２６０１号及び米国特許第６，２２５，４６４号に教示されているような公知の手順によって容易に調製される。
【００９３】
無機過水和物漂白剤−洗剤成分の組成物は、酸素放出漂白剤として、過酸化水素源を含んでよい。好適な過酸化水素源としては、無機過水和物塩が挙げられる。このような無機過水和物塩は、通常、組成物の１重量％〜４０重量％、より好ましくは２重量％〜３０重量％、最も好ましくは５重量％〜２５重量％の濃度で、ナトリウム塩の形態で配合される。無機過水和物塩の非限定的な例としては、過ホウ酸塩、過炭酸塩、過リン酸塩、過硫酸塩、及び過ケイ酸塩が挙げられる。無機過水和物塩は、通常、アルカリ金属塩である。無機過水和物塩は、追加の保護なしに結晶質固体として含まれてよい。このような顆粒状組成物の１つの態様では、無機過水和物塩は、顆粒状製品における過水和物塩についてより優れた保管安定性を提供するコーティングを含んでよい。過ホウ酸ナトリウムは、公称式ＮａＢＯ２・Ｈ２Ｏ２の一水和物又はＮａＢＯ２Ｈ２Ｏ２・３Ｈ２Ｏの四水和物の形態であってよい。アルカリ金属過炭酸塩、特に過炭酸ナトリウムは、本発明に係る組成物中に含めるのに好ましい過水和物である。過炭酸ナトリウムは、２Ｎａ２ＣＯ３・３Ｈ２Ｏ２に相当する式を有する付加化合物であり、結晶質固体として市販されている。過酸化水素付加化合物である過炭酸ナトリウムは、溶解したときに、局在化高漂白剤濃度を生じさせる傾向を増大させることができる過酸化水素をかなり急速に放出する傾向がある。１つの態様では、過炭酸塩は、製品内安定性を提供するコーティングされた形態でこのような組成物に配合され得る。
【００９４】
製品内安定性を提供する好適なコーティング材料は、水溶性アルカリ金属硫酸塩と炭酸塩との混合塩を含んでよい。このようなコーティングは、コーティング方法とともに、英国特許第１，４６６，７９９号（Ｉｎｔｅｒｏｘ、１９７７年３月９日）に既に記載されている。混合塩コーティング材料と過炭酸塩との重量比は、約１：２００〜約１：４、又は約１：９９〜約１：９、又は更には約１：４９〜約１：１９の範囲内である。１つの態様では、混合塩は、一般式Ｎａ２ＳＯ４・ｎＮａ２ＣＯ３（式中、ｎは、約０．１〜約３、又は約０．３〜約１．０、又は更には約０．２〜約０．５である）を有する、硫酸ナトリウムと炭酸ナトリウムとの混合塩である。
【００９５】
製品内安定性を供給する別の好適なコーティング材料は、ＳｉＯ２：Ｎａ２Ｏ比が約１．８：１〜約３．０：１、又は約１．８：１〜約２．４：１のケイ酸ナトリウム及び／又はメタケイ酸ナトリウムを含み、好ましくは、無機過水和物塩の約２重量％〜約１０重量％（通常、約３重量％〜約５重量％）のＳｉＯ２濃度で塗布される。ケイ酸マグネシウムがコーティングに含まれていてもよい。１つの態様では、コーティングは、ケイ酸塩、ホウ酸塩、ホウ酸、他の無機物、又はこれらの混合物を含んでよい。１つの態様では、コーティングは、ワックス、油、脂肪石鹸、及びこれらの混合物を含んでよい。１つの態様では、ペルオキシ一硫酸カリウムを用いてよい。
【００９６】
ペルオキシ酸漂白剤前駆体−ペルオキシ酸漂白剤前駆体は、過加水分解反応において過酸化水素と反応してペルオキシ酸を生成する化合物である。一般的に、ペルオキシ酸漂白剤前駆体は、以下の通り表すことができる。
【００９７】
【化１１】
2018039002.tif 000014
（式中、過加水分解反応時にペルオキシ酸の構造が生成されるように、Ｌは、脱離基であり、Ｘは、本質的に任意の官能基である。）
【００９８】
【化１２】
2018039002.tif 000015
【００９９】
１つの態様では、上記ペルオキシ酸漂白剤前駆体化合物は、組成物の総重量に基づいて、約０．５％〜約２０％、又は約１％〜約１０％、又は更には約１．５％〜約５％の濃度であってよい。好適なペルオキシ酸漂白剤前駆体化合物は、１つ又は２つ以上のＮ−又はＯ−アシル基を含んでよく、該前駆体は、広範な分類から選択することができる。好適な分類としては、イミダゾール及びオキシムの無水物、エステル、イミド、ラクタム、及びアシル化誘導体を挙げることができる。これら分類内の有用な材料の非限定的な例は、英国特許第１５８６７８９号に開示されている。好適なエステルは、英国特許第８３６９８８号、同第８６４７９８号、同第１１４７８７１号、同第２１４３２３１号、及び欧州特許第０１７０３８６号に開示されている。
【０１００】
使用方法
本明細書に開示されている特定の消費者製品は、部位、特に、表面又は布地を洗浄又は処理するために使用することができる。典型的には、部位の少なくとも一部を、未希釈形態の又は液体（例えば、洗浄液）で希釈した出願人らの消費者製品の実施形態と接触させ、次いで、任意で該部位を洗浄及び／又はすすいでよい。１つの態様では、部位を任意で洗浄及び／又はすすぎ、消費者製品の態様と接触させ、次いで、任意で洗浄及び／又はすすぐ。本発明の目的に関して、洗浄は、こすり洗い及び機械的撹拌を含むが、これらに限定されない。布地は、標準的な消費者の使用条件で洗濯又は処理することが可能な、ほとんどの任意の布地を含んでよい。開示する組成物を含み得る液体は、約３〜約１１．５のｐＨを有していてよい。このような組成物は、典型的に、溶液中約５００ｐｐｍ〜約１５，０００ｐｐｍの濃度で使用される。洗浄溶媒が水であるとき、水温は、典型的に、約５℃〜約９０℃であり、部位が布地を含むとき、水の布地に対する比は、典型的に、約１：１〜約３０：１である。
【０１０１】
前述の方法のうちの１つ又は２つ以上を使用して、処理された部位を得る。
【０１０２】
試験方法
本願の試験方法の項で開示される試験方法は、本出願人らの発明が本明細書に記載され、特許請求されているように、本出願人らの発明のパラメータの各値を求めるために使用すべきであると理解される。更に、以下の方法を用いる前に製品から封入有益剤を単離する必要があり、単離は、製品の種類及び形態だけでなく、封入有益剤のシェルの性質にも依存することが、当業者には明らかである。例えば、液体製品に含まれる封入有益剤は、遠心分離し、封入有益剤のシェル用の非溶媒に再分散させることによって単離することができるが、一方、固体製品に含まれる封入有益剤については、結合剤用の溶媒及び封入有益剤のシェル用の非溶媒を用いてよい。
【０１０３】
（１）封入有益剤の集合体の平均直径：封入有益剤の集合体は、走査型電子顕微鏡を用い、ＩｍａｇｅＪソフトウェアプログラムバージョン１．４６ｒ（Ｒａｓｂａｎｄ，Ｗ．Ｓ．，ＩｍａｇｅＪ，Ｕ．Ｓ．Ｎａｔｉｏｎａｌ  Ｉｎｓｔｉｔｕｔｅｓ  ｏｆ  Ｈｅａｌｔｈ，Ｂｅｔｈｅｓｄａ，Ｍａｒｙｌａｎｄ，ＵＳＡ，ｈｔｔｐ：／／ｉｍａｇｅｊ．ｎｉｈ．ｇｏｖ／ｉｊ／，１９９７〜２０１２．）を用いてコンピュータで画像解析することによって得られる平均直径
【０１０４】
【数１】
2018039002.tif 000016
によって特徴付けられる。
ｉ．約３０ｍｇの封入有益剤の集合体のサンプルを生体接着スタブ（例えば、直径１２．５ｍｍのＡｌｕｍｉｎｉｕｍ  Ｐｉｎ  Ｓｔｕｂ  Ｇ３０１、直径１２ｍｍのＬｅｉｔ
Ａｄｈｅｓｉｖｅ  Ｃａｒｂｏｎ  ｔａｂを備える、Ａｇａｒ  Ｓｃｉｅｎｔｉｆｉｃ（Ｅｓｓｅｘ，ＵＫ）から入手可能）に接着させ、スタブ上に封入有益剤の単一の均一層を得るために凝集を回避する。
ｉｉ．約５００個の無作為に選択された封入有益剤の画像を得るために、Ｈｉｔａｃｈｉ  ＴＭ−１０００  Ｔａｂｌｅ  Ｔｏｐ走査型電子顕微鏡（Ｈｉｔａｃｈｉ  Ｈｉｇｈ−Ｔｅｃｈｎｏｌｏｇｉｅｓ  Ｅｕｒｏｐｅ  ＧｍｂＨ（Ｇｅｒｍａｙ））を用いて、約１００倍の倍率で１スタブ当たり約１０枚の画像を撮影する。
ｉｉｉ．撮影した１０枚の画像から、ＩｍａｇｅＪ解析のために少なくとも３枚の画像を選択すると同時に、合計で、少なくとも３００個の封入有益剤の単層を描くために十分な画像を選択する。
ｉｖ．３枚又は４枚以上の画像を、それぞれ、ＩｍａｇｅＪで開く。画像を補正し、用いた目盛はマイクロメートル（μｍ）である。各画像を８ビットグレースケール画素深度に変換し、次いで、ソフトウェアの自動閾値ボタンによって自動的に閾値を求めて二値画像を作製し、それによって、封入有益剤を表す画素が最前面の物体及び対象領域となり、これをバックグラウンド画素から分離する。次いで、「Ｓｅｔ  Ｍｅａｓｕｒｅｍｅｎｔ」メニューにおける「Ａｒｅａ」を選択し、「Ａｒｅａ」の中の「Ｅｘｃｌｕｄｅ  Ｅｄｇｅ  Ｐａｒｔｉｃｌｅｓ」及び「ｃｉｒｃｕｌａｒｉｔｙ」を選択することによって、封入有益剤を表す各対象領域物体の面積（インチ／平方マイクロメートル）をＩｍａｇｅＪで測定する。次いで、「ｃｉｒｃｕｌａｒｉｔｙ」については、「Ａｎａｌｙｚｅ  Ｐａｒｔｉｃｌｅｓ」メニューにおいて約０．４〜約１の値の範囲を入力する。
ｖ．得られた面積（Ａ、インチ／平方マイクロメートル）を記録し、以下の式に従って封入有益剤の直径を計算するために用いる。
ｄｉ＝√（４Ａｉ／π）
（式中、ｄｉは、直径（マイクロメートル）であり、Ａｉは、所与の封入有益剤についてＩｍａｇｅＪから得られた面積である。）
ｖｉ．次いで、直径（ｄｉ）を最大から最小の大きさに順位をつけ、以下の式を用いて封入有益剤の平均径を得る。
【０１０５】
【数２】
2018039002.tif 000017
（式中、
【０１０６】
【数３】
2018039002.tif 000018
は、封入有益剤の平均直径（マイクロメートル）であり、ｄｉは、上記の通り計算した封入有益剤の個々の直径（マイクロメートル）であり、ｎは、分析した封入有益剤の総数であり、このような平均を得るために最低３００個の封入有益剤を用いた。）更に、これら直径データ点について５百分位数、５０百分位数、及び９５百分位数の値も計算する。
【０１０７】
（２）封入有益剤の集合体の直径の変動係数：封入有益剤の集合体は、該封入有益剤の集合体の直径分布（すなわち、標準偏差）と封入有益剤の平均直径との間の比に対応する直径の変動係数（ＣｏＶ）によって特徴付けられる。ＣｏＶは、以下の通り得られる。
ｉ．まず、以下の式を用いて、封入有益剤の平均直径の標準偏差（ＳＴＤ）を得る。
【０１０８】
【数４】
2018039002.tif 000019
（式中、ＳＴＤは、直径の標準偏差（マイクロメートル）であり、
【０１０９】
【数５】
2018039002.tif 000020
は、封入有益剤の平均直径（マイクロメートル）であり、ｄｉは、上記の通り計算した封入有益剤の個々の直径（マイクロメートル）であり、ｎは、分析した封入有益剤の総数であり、このようなＳＴＤを得るために最低３００個の封入有益剤を用いた。）
ｉｉ．最後に、以下の式を用いて、封入有益剤の集合体の直径の変動係数（ＣｏＶ）を得る。
【０１１０】
【数６】
2018039002.tif 000021
（式中、ＣｏＶは、封入有益剤の集合体の直径の変動係数（％）であり、ＳＴＤ及び
【０１１１】
【数７】
2018039002.tif 000022
は、それぞれ、上記の通り計算した標準偏差及び平均直径（マイクロメートル）である。）
【０１１２】
（３）シェルの平均厚み：シェルの平均厚みは、標的とする封入有益剤の切片を調製し、走査型電子顕微鏡（例えば、モデルＪＳＭ−６４００、ＪＥＯＬ  Ｌｔｄ（Ｔｏｋｙｏ，Ｊａｐａｎ）等）下でシェルの厚みを測定することによって決定する。約２００ｍｇの封入有益剤サンプル（乾燥粉末として）を約１ｍＬの最適切断温度溶液（ＯＣＴ）と混合する。非水溶性シェル材料の場合、ＯＣＴ溶液は、１０．２４％のポリビニルアルコール、４．２６％のポリエチレングリコール、及び８５．５％の非反応性成分からなっていてよい。一方、水溶性シェル材料の場合、ＯＣＴ溶液は、ポリプロピレングリコール、ポリエチレングリコール、グリセリン、植物油、及び／又は鉱油からなっていてよい。封入有益剤が懸濁しているこのＯＣＴ溶液を、液体窒素（−１９６℃）を用いることによって直ちに凍結させ、−２０℃に冷却したクライオスタットミクロトーム内部に入れる。クライオスタットミクロトームを用いて、約１０μｍの厚みの凍結懸濁液のサンプル切片を切り出す。切片を室温の顕微鏡用スライドグラスに載せると、切片は、即座に融解し、接着する。切片を室温で空気乾燥させた後、スパッタコーティングによって金でコーティングし、観察し、走査型電子顕微鏡（ＳＥＭ）（例えば、ＪＥＯＬ  ＳＥＭモデルＪＳＭ−６４００、ＪＥＯＬ  Ｌｔｄ（Ｔｏｋｙｏ，Ｊａｐａｎ）から入手可能等）を用いて撮影する。得られた切片の顕微鏡写真から、３つの異なる直径画分のそれぞれにおいて１０個の封入有益剤を選択することによって、３０個の封入有益剤のシェルの厚みを測定する。３つの異なる直径画分は、上記方法（１）下で測定したとき、直径データ点から計算した５百分位数、５０百分位数、及び９５百分位数の値によって決定する。３つの直径画分は、以下の通り定義される（マイクロメートル）：５百分位数の値＋／−その値の１０％；５０百分位数の値＋／−その値の１０％；及び９５百分位数の値＋／−その値の１０％。選択した３０個の封入有益剤のそれぞれについて、各シェルの外周の周りに等距離で離間している少なくとも４つの異なる位置、すなわち、０°、９０°、１８０°、及び２７０°でシェルの厚みを測定して、合計１２０個の厚み測定値を得る。各カプセルのシェルの平均厚み
【０１１３】
【数８】
2018039002.tif 000023
及びシェルの厚みの標準偏差（ＳＴＤ）を、それぞれのカプセルについて少なくとも４つのシェルの厚みの測定値を用いて計算する。
【０１１４】
（４）シェルの平均厚みの変動係数：シェルの平均厚みは、パーセントで表される、該封入有益剤の集合体のシェルの厚み分布（標準偏差）と所与の封入有益剤のシェルの平均厚みとの比に対応する変動係数（ＣｏＶ）によって特徴付けられる。ＣｏＶは、以下の通り得られる。
ｉ．まず、封入有益剤のシェルの厚みの標準偏差（ＳＴＤ）を以下の式を用いて得る。
【０１１５】
【数９】
2018039002.tif 000024
（式中、ＳＴＤは、標準偏差（マイクロメートル）であり、
【０１１６】
【数１０】
2018039002.tif 000025
は、封入有益剤のシェルの平均厚み（マイクロメートル）であり、ｓｉは、上記の通り計算した封入有益剤の個々のシェルの厚みの測定値（マイクロメートル）であり、ｎは、このようなＳＴＤを得るために最低４個の測定値を用いて取得したシェルの厚みの測定値の総数である。）
ｉｉ．最後に、以下の式を用いて、封入有益剤のシェルの厚みの変動係数（ＣｏＶ）を得る。
【０１１７】
【数１１】
2018039002.tif 000026
（式中、ＣｏＶは、封入有益剤の集合体径の変動係数（％）であり、ＳＴＤ及び
【０１１８】
【数１２】
2018039002.tif 000027
は、それぞれ、上記の通り計算した標準偏差及びシェルの平均厚み（マイクロメートル）である。）
【０１１９】
（５）最終製品からの有益剤送達粒子の抽出：有益剤送達粒子を単離する方法は、このような粒子の大部分の密度が水の密度とは異なっているという事実に基づく。粒子を希釈及び／又は放出するために、最終製品を水と混合する。希釈した製品懸濁液を遠心分離して、粒子の分離を加速させる。このような粒子は、最終製品の希釈溶液／分散液に浮かぶ又は沈む傾向がある。ピペット又はスパチュラを用いて、この懸濁液の上層及び底層を除去し、更に希釈及び遠心分離のラウンドに供して、粒子を分離し、富化させる。送達粒子が上層及び底層の両方において顕微鏡的に観察された場合、これら２層からの粒子を最後の遠心分離工程後に再度合わせて、その製品から抽出された送達粒子を全て含有する単一のサンプルを作製する。抽出した粒子は、できる限り速やかに分析すべきであるが、分析する前に最大１４日間脱塩水懸濁液として保管してもよい。ワックス、ドライヤーシート、ドライヤーバー、及び脂っぽい物質等の水に容易には分散しない最終製品から粒子を抽出するとき、マトリクスから粒子を放出させるために、製品及び希釈液に洗剤を添加し、撹拌及び／又は穏やかに加熱することが必要になる場合がある。これら操作が送達粒子を壊すことがあるので、有機溶媒の使用及び粒子の乾燥は避けなければならない。
【０１２０】
交差分極フィルタ又は微分干渉（ＤＩＣ）を備える光学顕微鏡、及び１００倍〜少なくとも６００倍の倍率の範囲で、粒子を観察する。顕微鏡観察により、送達粒子の存在、大きさ、及び凝集の初期指標が得られる。
【０１２１】
当業者は、最終製品から送達粒子を抽出及び単離するために様々な他のプロトコールを構築し得ることを認識し、また、ような方法は、最終製品に粒子を添加し抽出する前後に測定して得られた測定値の比較を介した検証が必要であることを認識する。
【実施例】
【０１２２】
本発明の特定の実施形態が例示され記載されてきたが、本発明の趣旨及び範囲から逸脱することなく他の様々な変更及び修正を実施できることが当業者には自明であろう。したがって、本発明の範囲内に含まれるそのような全ての変更及び修正は、添付の特許請求の範囲にて網羅することを意図したものである。
【０１２３】
実施例１：ＵＶ硬化によるコア−シェル封入体の製造
ＵＶ硬化によるコア−シェル封入有益剤の調製：同心Ｆｌｏｗ  Ｆｏｃｕｓｉｎｇ（登録商標）ノズル（ＰＳＣＳ０３５０Ｇ、Ｉｎｇｅｎｉａｔｒｉｃｓ（Ｓｐａｉｎ））を用いて有益剤を乳化させ、２つの高圧シリンジポンプ（ＰＨＤ  ４４００（Ｈａｒｖａｒｄ
Ａｐｐａｒａｔｕｓ（Ｆｒａｎｃｅ））を用いてこれら有益剤を含有するコア及びモノマーを含むシェルを別個に導入することによって、コアシェル封入有益剤を調製する。エマルション及び光開始剤を安定化させるために、界面活性剤を含有する水性床において滴を乳化する。次いで、生成した滴をＵＶ光下で硬化させ、濾過によって粒子を回収するか、又はレオロジー調整剤を添加して、懸濁した状態を保ち、そのまま使用できるようにする。
【０１２４】
シェル−アクリレート由来モノマー：４．７グラムのイソボルニルアクリレート（Ｓｉｇｍａ  Ａｌｄｒｉｃｈ）を０．１３グラムの五官能性メラミンアクリレート（Ｓａｒｔｏｍｅｒ（Ｆｒａｎｃｅ））と混合し、この混合物を２２℃で５分間３００ｒｐｍで撹拌する。
【０１２５】
コア−色相剤：５グラムのＬｉｑｕｉｔｉｎｔ（登録商標）Ｖｉｏｌｅｔ  Ｉｏｎ（Ｍｉｌｌｉｋｅｎ（ＵＳＡ））を、４７．５グラムのプロピレングリコール（純度＞９９％、ＩＮＥＯＳ（Ｇｅｒｍａｎｙ））の混合物にゆっくり添加する。
【０１２６】
連続相：０．５グラムのラウリル硫酸ナトリウム（Ｓｃｈａｒｌａｕ（Ｓｐａｉｎ））及び０．０２６グラムの光開始剤Ｄａｒｏｃｕｒ  １１７３（Ｃｉｂａ  Ｓｐｅｃｉａｌｔｙ  Ｃｈｅｍｉｃａｌｓ）を４９．４７４グラムの脱塩水に溶解させ、次いで、２２℃で３００ｒｐｍにて混合し、混合物を光から保護して光反応を避けるために、不透明ビーカー内で保管する。
【０１２７】
乳化：コア組成物を５ｍＬ／時の流速で内側ノズルを通して噴霧し、シェル組成物を２０ｍＬ／時の流速で外側ノズルを通して噴霧して、コア−シェル滴及び０．１１ＭＰａ（１１１３ｍｂａｒ）の気流を得る。ノズルは、１２０ｒｐｍで連続して混合しながら、連続相の表面から２ｃｍの距離に設置する。エマルションとして連続相中の滴を回収し、更に、２２℃で２０分間、１５０Ｖ及び７．５Ａにて、４００〜１００ｎｍのＵＶ周波数で、ＵＶランプ硬化（Ｈｅｌｉｏｓ  Ｉｔａｌｑｕａｒｔｚ（Ｉｔａｌｙ））を用いることによって照射する。封入有益剤の平均直径は、３８．１マイクロメートルである。
【０１２８】
実施例２：ＵＶ硬化によるコア−シェル封入体の製造
封入有益剤を調製するための組成物及び手順は、外側ノズルの流速が１５ｍＬ／時であることを除いて、実施例１と同様である。封入有益剤の平均直径は、５６．２マイクロメートルであり、シェルの平均厚みは、０．４７マイクロメートルである。
【０１２９】
実施例３：ＵＶ硬化によるコア−シェル封入体の製造
封入有益剤を調製するための組成物及び手順は、外側ノズルの流速が１０ｍＬ／時であることを除いて、実施例１と同様である。封入有益剤の平均直径は、６０．８マイクロメートルである。
【０１３０】
実施例４：ＵＶ硬化によるコア−シェル封入体の製造
封入有益剤を調製するための組成物及び手順は、外側ノズルの流速が５ｍＬ／時であることを除いて、実施例１と同様である。封入有益剤の平均直径は、４９．３マイクロメートルである。
【０１３１】
実施例５：ＵＶ硬化によるコア−シェル封入体の製造
封入有益剤を調製するための組成物及び手順は、３．８７１グラムのイソボルニルアクリレート（Ｓｉｇｍａ  Ａｌｄｒｉｃｈ）と０．９７７グラムの五官能性メラミンアクリレート（Ｓａｒｔｏｍｅｒ（Ｆｒａｎｃｅ））とを混合することによってシェル組成物を調製することを除いて、実施例１と同様である。
【０１３２】
実施例６：ＵＶ硬化によるコア−シェル封入体の製造
封入有益剤を調製するための組成物及び手順は、４．３４８グラムのイソボルニルアクリレート（Ｓｉｇｍａ  Ａｌｄｒｉｃｈ）と０．４８８グラムの五官能性メラミンアクリレート（Ｓａｒｔｏｍｅｒ）とを混合することによってシェル組成物を調製することを除いて、実施例１と同様である。
【０１３３】
実施例７：ＵＶ硬化によるコア−シェル封入体の製造
封入有益剤を調製するための組成物及び手順は、４．５９１グラムのイソボルニルアクリレート（Ｓｉｇｍａ  Ａｌｄｒｉｃｈ）と０．２４６グラムの五官能性メラミンアクリレート（Ｓａｒｔｏｍｅｒ）とを混合することによってシェル組成物を調製することを除いて、実施例１と同様である。
【０１３４】
実施例８：ＵＶ硬化によるコア−シェル封入体の製造
封入有益剤を調製するための組成物及び手順は、イソボルニルアクリレート（Ｓｉｇｍａ  Ａｌｄｒｉｃｈ）（４．１７１グラム）のみによってシェル組成物を形成することを除いて、実施例１と同様である。
【０１３５】
実施例１〜８に従って調製した封入有益剤は、密度が高く、均質な外側表面を有し、走査型電子顕微鏡下で検出可能な孔を有さず、封入体の平均直径は、２０〜８０マイクロメートルである。
【０１３６】
実施例５〜８は、封入有益剤のシェルにおける五官能性メラミンアクリレートの量を増やすことによって、シェルの強度が高まり、封入有益剤が壊れにくくなることを教示する。
【０１３７】
実施例９：ＵＶ硬化によるコア−シェル封入体の製造封入有益剤を調製するための組成物及び手順は、連続相が１グラムのラウリル硫酸ナトリウムを含有することを除いて、実施例１と同様である。封入有益剤の平均直径は、４４．２マイクロメートルである。界面活性剤の濃度は、封入平均直径に影響を与えない。
【０１３８】
実施例１０：ＵＶ硬化によるコア−シェル封入体の製造
封入有益剤を調製するための組成物及び手順は、水相が０．０３５グラムの光開始剤Ｄａｒｏｃｕｒ  １１７３を含有することを除いて、実施例９と同様である。
【０１３９】
実施例１１：ＵＶ硬化によるコア−シェル封入体の製造
封入有益剤を調製するための組成物及び手順は、ＵＶランプによるエマルション照射の時間が１５分間であることを除いて、実施例１と同様である。
【０１４０】
実施例１２：ＵＶ硬化によるコア−シェル封入体の製造
封入有益剤を調製するための組成物及び手順は、ＵＶランプによるエマルション照射の時間が１０分間であることを除いて、実施例１と同様である。
【０１４１】
実施例１３：ＵＶ硬化によるコア−シェル封入体の製造
封入有益剤を調製するための組成物及び手順は、ＵＶランプによるエマルション照射の時間が５分間であることを除いて、実施例１と同様である。
【０１４２】
実施例１１〜１３は、平均直径が２０〜１００マイクロメートルである密度の高い外面を有す封入体の製造には５分間の照射時間で十分であることを教示する。
【０１４３】
実施例１４：封入体の凝集
実施例１の封入有益剤（濾過後、カプセルのみを凝集プロセスに使用する）の９０グラムのアリコートを、Ｅｕｒｏｓｔａｒミキサー（ＩＫＡ）を使用して２００ｒｐｍの一定速度で混合する。Ｅｕｒｏｓｔａｒミキサーを用いて上記と同じ速度で混合しながら、アリコートに５グラムのカルボキシメチルセルロース（ＣＰ  Ｋｅｌｃｏ）を添加する。スラリーを、合計２時間にわたり、又は均一なペーストが形成されるまで混合する。１２．８グラムの沈殿シリカＳｉｐｅｒｎａｔ（登録商標）２２Ｓ（Ｄｅｇｕｓｓａ）を添加する。最初にミキサーを５秒間運転して、ミキサーの基部にシリカを均等に分配する。ミキサーを停止し、８２．５グラムのペーストを、粉末の上に均一に分配させる。次いで、ミキサーを１２０ｒｐｍで合計３０秒間運転する。混合後、濡れた状態の粒子をミキサーから出して、２，０００マイクロメートルの篩を使用して篩い分けて、大きすぎるものを除去する。篩を通過する生成物を、４Ｍ８−Ｔｒｉｘ流動床乾燥機（ＰｒｏＣｅｐＴ（Ｂｅｌｇｉｕｍ））で、Ｋａｒｌ  Ｆｉｓｃｈｅｒによって測定した最終含水量が２０重量％になるまで乾燥させる。乾燥機は、入り口温度１２０℃及び気流速度０．３８ｍ／ｓで操作する。
【０１４４】
実施例１５〜２２：香料組成物を含む洗濯洗剤組成物の実施例は、以下に含まれる。
【０１４５】
【表２】
2018039002.tif 000028
【０１４６】
実施例１５〜２２に記載する機器及び材料は、以下から入手することができる：ＩＫＡ
Ｗｅｒｋｅ  ＧｍｂＨ  ＆  Ｃｏ．ＫＧ（Ｓｔａｕｆｅｎ，Ｇｅｒｍａｎｙ）；ＣＰ  Ｋｅｌｃｏ（Ａｔｌａｎｔａ，Ｕｎｉｔｅｄ  Ｓｔａｔｅｓ）；Ｆｏｒｂｅｒｇ  Ｉｎｔｅｒｎａｔｉｏｎａｌ  ＡＳ（Ｌａｒｖｉｋ，Ｎｏｒｗａｙ）；Ｄｅｇｕｓｓａ  ＧｍｂＨ（Ｄｕｓｓｅｌｄｏｒｆ，Ｇｅｒｍａｎｙ）；Ｎｉｒｏ  Ａ／Ｓ（Ｓｏｅｂｅｒｇ，Ｄｅｎｍａｒｋ）；Ｂａｋｅｒ  Ｐｅｒｋｉｎｓ  Ｌｔｄ（Ｐｅｔｅｒｂｏｒｏｕｇｈ，Ｕｎｉｔｅｄ  Ｋｉｎｇｄｏｍ）；日本触媒（日本、東京）；ＢＡＳＦ（Ｌｕｄｗｉｇｓｈａｆｅｎ，Ｇｅｒｍａｎｙ）；Ｂｒａｕｎ（Ｋｒｏｎｂｅｒｇ，Ｇｅｒｍａｎｙ）；Ｉｎｄｕｓｔｒｉａｌ  Ｃｈｅｍｉｃａｌｓ  Ｌｉｍｉｔｅｄ（Ｔｈｕｒｒｏｃｋ，Ｕｎｉｔｅｄ  Ｋｉｎｇｄｏｍ）；Ｐｒｉｍｅｘ  ｅｈｆ（Ｓｉｇｌｕｆｊｏｒｄｕｒ，Ｉｃｅｌａｎｄ）；ＩＳＰ  Ｗｏｒｌｄ  Ｈｅａｄｑｕａｒｔｅｒｓ；Ｐｏｌｙｓｃｉｅｎｃｅｓ，Ｉｎｃ．（Ｗａｒｒｉｎｇｔｏｎ，Ｐｅｎｎｓｙｌｖａｎｉａ，Ｕｎｉｔｅｄ  Ｓｔａｔｅｓ）；Ｃｙｔｅｃ  Ｉｎｄｕｓｔｒｉｅｓ  Ｉｎｃ．（Ｎｅｗ  Ｊｅｒｓｅｙ，Ｕｎｉｔｅｄ  Ｓｔａｔｅｓ）；Ｉｎｔｅｒｎａｔｉｏｎａｌ  Ｓｐｅｃｉａｌｔｙ  Ｐｒｏｄｕｃｔｓ（Ｗａｙｎｅ，Ｎｅｗ  Ｊｅｒｓｅｙ，Ｕｎｉｔｅｄ  Ｓｔａｔｅｓ）；Ｐ＆Ｇ  Ｃｈｅｍｉｃａｌｓ  Ａｍｅｒｉｃａｓ（Ｃｉｎｃｉｎｎａｔｉ，Ｏｈｉｏ，Ｕｎｉｔｅｄ  Ｓｔａｔｅｓ）；Ｓｉｇｍａ−Ａｌｄｒｉｃｈ  Ｃｏｒｐ．（Ｓｔ．Ｌｏｕｉｓ，Ｍｉｓｓｏｕｒｉ，Ｕｎｉｔｅｄ  Ｓｔａｔｅｓ）；Ｄｏｗ  Ｃｈｅｍｉｃａｌ  Ｃｏｍｐａｎｙ（Ｍｉｄｌａｎｄ，ＭＩ，ＵＳＡ）。
【０１４７】
実施例２３〜２５：液体及びゲル洗剤
【０１４８】
【表３】
2018039002.tif 000029
１  香料マイクロカプセルは、以下の通り調製することができる：２５グラムのブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ  Ｃｈｅｍｉｃａｌｓ，Ｉｎｃ．Ｋｅｎｎｅｓａｗ、Ｇｅｏｒｇｉａ  Ｕ．Ｓ．Ａ．）を脱イオン水２００グラムに溶解させ、混合する。溶液のｐＨを、水酸化ナトリウム溶液でｐＨ  ４に調整する。８グラムの部分メチル化メチロールメラミン樹脂（Ｃｙｍｅｌ  ３８５、８０％固形分（Ｃｙｔｅｃ  Ｉｎｄｕｓｔｒｉｅｓ  Ｗｅｓｔ  Ｐａｔｅｒｓｏｎ（Ｎｅｗ  Ｊｅｒｓｅｙ，Ｕ．Ｓ．Ａ．））を乳化剤溶液に添加する。２００グラムの香油を機械的撹拌下で前述の混合物に添加し、温度を５０℃に上げた。安定なエマルションが得られるまでより高速で混合した後、第２の溶液及び４グラムの硫酸ナトリウム塩をエマルションに添加する。この第２の溶液は、１０グラムのブチルアクリレートアクリル酸コポリマー乳化剤（Ｃｏｌｌｏｉｄ  Ｃ３５１、２５％固形分、ｐＫａ  ４．５〜４．７、Ｋｅｍｉｒａ）、１２０グラムの蒸留水、ｐＨを４．８に調整するための水酸化ナトリウム溶液、２５グラムの部分メチル化メチロールメラミン樹脂（Ｃｙｍｅｌ  ３８５、８０％固形分、Ｃｙｔｅｃ）を含有する。この混合物を７０℃に加熱し、連続的に撹拌しながら一晩維持して、封入方法を完了させる。２３グラムのアセトアセトアミド（Ｓｉｇｍａ−Ａｌｄｒｉｃｈ（Ｓａｉｎｔ  Ｌｏｕｉｓ，Ｍｉｓｓｏｕｒｉ，Ｕ．Ｓ．Ａ））を懸濁液に添加する。
【０１４９】
実施例２６〜２８：液体単位用量
以下は、組成物がＰＶＡフィルムに封入されている封入有益剤を含有する単位容量作製の例である。本実施例において用いられるフィルムは、厚み７６μｍのＭｏｎｏｓｏｌ  Ｍ８６３０である。
【０１５０】
【表４】
2018039002.tif 000030
１  −ＮＨ１個当たり２０個のエトキシレート基を有するポリエチレンイミン（ＭＷ  ６００ｇ／モル）。
２  実施例２３〜２５に記載する香料マイクロカプセル
３  ＲＡ＝アルカリ保存性（ＮａＯＨのｇ／用量）
【０１５１】
本明細書に開示した大きさ及び値は、記載された正確な数値に厳密に限定されるものと理解されるべきではない。むしろ、特に断らないかぎり、そのような大きさは、それぞれ、記載された値及びその値の周辺の機能的に同等の範囲の両方を意味するものとする。例えば、「４０ｍｍ」と開示された寸法は、「約４０ｍｍ」を意味することが意図される。
【０１５２】
「発明を実施するための形態」で引用した全ての文献は、関連部分において本明細書に参考として組み込まれるが、いずれの文献の引用も、それが本発明に関して先行技術であることを容認するものとして解釈されるべきではない。本書における用語の任意の意味又は定義が、援用文献における同一の用語の任意の意味又は定義と相反する限りにおいては、本書においてその用語に与えられた意味又は定義が優先するものとする。
【０１５３】
本発明の特定の実施形態が例示され記載されてきたが、本発明の趣旨及び範囲から逸脱することなく他の様々な変更及び修正を実施できることが当業者には自明であろう。したがって、本発明の範囲内に含まれるそのような全ての変更及び修正は、添付の特許請求の範囲にて網羅することを意図したものである。
【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
（ａ）６％〜５０％の集合体直径の変動係数を有する封入有益剤の集合体であって、
前記封入有益剤の集合体は、３マイクロメートル〜３００マイクロメートルの平均直径を有する封入有益剤を含み、
前記封入有益剤は、コア及び前記コアを封入するシェルを含み、
前記シェルは、アクリレート誘導体を含み、
前記シェルは、０．３マイクロメートル〜１５マイクロメートルの厚み、及び２％〜３０％のシェルの厚みの変動係数を有する、集合体、及び
（ｂ）１重量％〜８０重量％の界面活性剤、
を含んでなり、
前記アクリレート誘導体は、五官能性メラミンアクリレートモノマー及びイソボルニルアクリレートモノマーとの反応に由来する、
液体洗剤組成物。
【請求項２】
前記集合体直径の変動係数は、１２％〜２５％である、請求項１に記載の液体洗剤組成物。
【請求項３】
前記平均直径は、２０マイクロメートル〜８０マイクロメートルである、請求項１に記載の液体洗剤組成物。
【請求項４】
前記シェルは、１．５マイクロメートル〜６マイクロメートルの厚みを有する、請求項１に記載の液体洗剤組成物。
【請求項５】
前記シェルの厚みの変動係数は、６％〜２０％である、請求項１に記載の液体洗剤組成物。
【請求項６】
前記コアは、香料、色相剤、増白剤、シリコーン、酵素、及びこれらの混合物からなる群から選択される材料を含む、請求項１に記載の液体洗剤組成物。
【請求項７】
前記集合体直径の変動係数は、１２％〜２５％であり、
前記平均直径は、２０マイクロメートル〜８０マイクロメートルであり、
前記シェルは、１．５マイクロメートル〜６マイクロメートルの厚みを有し、
前記シェルの厚みの変動係数は、６％〜２０％であり、
前記コアは、香料、色相剤、増白剤、シリコーン、酵素、及びこれらの混合物からなる群から選択される材料を含み、
前記液体洗剤組成物は、液体洗濯洗剤組成物である、
請求項１に記載の液体洗剤組成物。
【外国語明細書】
2018039002000001.pdf